(57)【要約】３層構造の共有スペクトルアーキテクチャーにおけるオペレーションを可能にするために、共有アクセスシステムのための方法および装置が使用可能である。たとえば、共有スペクトルマネージャー（ＳＳＭ）が、スペクトルセグメントを編成することができる。ＳＳＭは、別々の優先度のアクセスユーザと通信することができ、スペクトルを要求すること、スペクトルを求めて入札すること、スペクトルを管理することなどのためにメッセージ交換を使用することができる。ＳＳＭは、アクセスユーザのアドミッション（ユーザへのスペクトルの割り当て）、およびオペレーションの最低の（保証された）品質と最高品質との間におけるレンジとして提供可能スペクトル要求に伴うオペレーションを管理することができる。ＳＳＭは、アクセスユーザが、割り振られたスペクトルを使用することができる方法を管理することもできる。複数のＳＳＭが存在することが可能である領域（たとえば、国境）においては、ＳＳＭ間の通信が使用可能である。したがって、このＳＳＭ間の通信および対応するアクションのためのトリガーも、本明細書において開示されている。
2015534372.tif 000002
【特許請求の範囲】
【請求項１】
アクセスユーザのためのアクセス品質（ＱｏＡ）を提供する共有スペクトルの層におけるスペクトルに対する要求を送り、
前記ＱｏＡに適合することが可能であり、および前記アクセスユーザによる使用のために割り当てられることが可能である前記共有スペクトルにおける利用可能なスペクトルのリストを受信し、
利用可能なスペクトルの前記リストから前記スペクトルを決定し、
前記スペクトルが前記アクセスユーザによる使用のために割り当てられることを要求するスペクトル使用メッセージを送る
ように構成されていたプロセッサ
を備えたことを特徴とする装置。
【請求項２】
前記ＱｏＡは、エリア、時間、時間のパーセンテージ、またはスクランブリングコードに対する前記アクセスユーザによる前記スペクトルの排他的な使用に関連付けられることを特徴とする請求項１に記載の装置。
【請求項３】
前記ＱｏＡは、前記アクセスユーザに対して受け入れ可能なレベルを下回っている前記スペクトルのノイズレベルに関連付けられることを特徴とする請求項１に記載の装置。
【請求項４】
前記層は、第１の層であり、および前記利用可能なスペクトルは、前記第１の層とは異なる第２の層にあることを特徴とする請求項１に記載の装置。
【請求項５】
前記スペクトルに対する前記要求は、前記スペクトルが存在すべき周波数帯域を含むことを特徴とする請求項１に記載の装置。
【請求項６】
前記プロセッサは、前記利用可能なスペクトルが、要求された前記スペクトルよりも大きいということを決定するようにさらに構成されることを特徴とする請求項５に記載の装置。
【請求項７】
前記プロセッサは、前記スペクトルが割り当てられたということを示す割り当てメッセージを受信するようにさらに構成されることを特徴とする請求項６に記載の装置。
【請求項８】
前記プロセッサは、前記スペクトルがもはや前記ＱｏＡに適合することができない場合に使用されることになる代替スペクトルを利用可能なスペクトルの前記リストから決定するようにさらに構成されることを特徴とする請求項６に記載の装置。
【請求項９】
前記プロセッサは、前記スペクトルがもはや前記ＱｏＡに適合することができない場合に、前記アクセスユーザによる可能性のある使用のために前記代替スペクトルがフラグ設定されることを要求するスペクトル予約メッセージを送るようにさらに構成されることを特徴とする請求項８に記載の装置。
【請求項１０】
前記スペクトル使用メッセージは、第１のスペクトル使用メッセージであり、および前記プロセッサは、
前記スペクトルがもはや前記ＱｏＡに適合することができないということを決定し、
前記代替スペクトルが前記アクセスユーザによる使用のために割り当てられることを要求する第２のスペクトル使用メッセージを送るようにさらに構成されることを特徴とする請求項８に記載の装置。
【請求項１１】
共有スペクトルの層、およびアクセスユーザのためのアクセス品質（ＱｏＡ）を含むスペクトル要求メッセージを受信し、
前記アクセスユーザに対する前記ＱｏＡに適合することが可能であり、および前記アクセスユーザに割り当てられることが可能である前記共有スペクトルの前記層において利用可能なスペクトルを決定し、
前記利用可能なスペクトルから前記アクセスユーザによる使用のために前記スペクトルを割り当てる
ように構成されたプロセッサ
を備えたことを特徴とする装置。
【請求項１２】
前記ＱｏＡは、エリア、時間、時間のパーセンテージ、またはスクランブリングコードに対する前記アクセスユーザによる前記スペクトルの排他的な使用に関連付けられることを特徴とする請求項１１に記載の装置。
【請求項１３】
前記ＱｏＡは、前記アクセスユーザに対して受け入れ可能なレベルを下回っている前記スペクトルのノイズレベルに関連付けられることを特徴とする請求項１１に記載の装置。
【請求項１４】
前記プロセッサは、前記利用可能なスペクトルのリストを前記アクセスユーザに送るようにさらに構成されることを特徴とする請求項１１に記載の装置。
【請求項１５】
前記スペクトルが前記アクセスユーザによる使用のために前記利用可能なスペクトルから割り当てられることを要求するスペクトル使用メッセージを受信することをさらに含むことを特徴とする請求項１４に記載の装置。
【請求項１６】
前記スペクトル要求メッセージは、前記スペクトルが存在すべき周波数帯域をさらに含むことを特徴とする請求項１５に記載の装置。
【請求項１７】
前記プロセッサは、前記利用可能なスペクトルが前記周波数帯域内にあるということを決定するようにさらに構成されることを特徴とする請求項１６に記載の装置。
【請求項１８】
前記プロセッサは、前記アクセスユーザによる可能性のある使用のために前記利用可能なスペクトルからの代替スペクトルがフラグ設定されることを要求するスペクトル予約メッセージを受信するようにさらに構成されることを特徴とする請求項１１に記載の装置。
【請求項１９】
前記プロセッサは、前記スペクトルがもはや前記ＱｏＡに適合することができない場合に前記アクセスユーザによる使用のために前記代替スペクトルを割り当てるようにさらに構成されることを特徴とする請求項１８に記載の装置。
【請求項２０】
アクセス品質（ＱｏＡ）がスペクトルセグメントに対して劣化したということを示すアクセス品質（ＱｏＡ）イベントメッセージをアクセスユーザから受信し、
前記スペクトルセグメントを共有スペクトルの層における置換スペクトルセグメントと置換するための再割り当て要求を受信し、
前記ＱｏＡに適合することが可能であり、および前記アクセスユーザに割り当てられることが可能である前記共有スペクトルの前記層における利用可能なスペクトルを決定し、
前記利用可能なスペクトルからの置換スペクトルセグメントを前記アクセスユーザに割り振る
ように構成されたプロセッサ
を備えたことを特徴とする装置。
【請求項２１】
前記プロセッサは、前記アクセスユーザによる使用のためにもはや割り当てられないように、スペクトルセグメントを解放するようにさらに構成されることを特徴とする請求項２０に記載の装置。
【請求項２２】
前記プロセッサは、利用可能なスペクトルのリストを前記アクセスユーザに送るようにさらに構成されることを特徴とする請求項２０に記載の装置。
【請求項２３】
前記再割り当て要求は、前記スペクトルが存在すべき周波数帯域をさらに含むことを特徴とする請求項２０に記載の装置。
【請求項２４】
前記プロセッサは、前記利用可能なスペクトルが前記周波数帯域内にあるということを決定するようにさらに構成されることを特徴とする請求項２３に記載の装置。
【請求項２５】
スペクトルセグメントがもはやアクセス品質（ＱｏＡ）に適合することができないということを決定し、
前記ＱｏＡが前記スペクトルセグメントに対して劣化したということを示すＱｏＡイベントメッセージを共有スペクトルマネージャー（ＳＳＭ）に送り、
前記スペクトルセグメントを共有スペクトルの層における置換スペクトルセグメントと置換するための再割り当て要求を送る
ように構成されたプロセッサ
を備えたことを特徴とする装置。
【請求項２６】
前記プロセッサは、前記ＱｏＡに適合可能な前記共有スペクトルの前記層における利用可能なスペクトルのリストを受信するように構成されることを特徴とする請求項２５に記載の装置。
【請求項２７】
前記プロセッサは、利用可能なスペクトルの前記リストから前記置換スペクトルセグメントを決定するようにさらに構成されることを特徴とする請求項２６に記載の装置。
【請求項２８】
前記プロセッサは、前記利用可能なスペクトルからの置換スペクトルセグメントを割り当てるスペクトル割り振りを受信するようにさらに構成されることを特徴とする請求項２７に記載の装置。
【請求項２９】
前記プロセッサは、前記スペクトルが割り当てられたということを示す割り当てメッセージを前記ＳＳＭから受信するようにさらに構成されることを特徴とする請求項２８に記載の装置。
【請求項３０】
前記プロセッサは、置換スペクトルセグメントがもはや前記ＱｏＡに適合することができない場合に使用されることになる利用可能なスペクトルの前記リストからの代替スペクトルセグメントを決定するようにさらに構成されることを特徴とする請求項２８に記載の装置。
【発明の詳細な説明】
【技術分野】
【０００１】
本発明は、共有アクセスシステムのための方法および装置に関する。
【背景技術】
【０００２】
関連出願の相互参照
本出願は、２０１２年９月１９日に出願された「Ｍｅｔｈｏｄｓ  ａｎｄ  Ａｐｐａｒａｔｕｓ  ｆｏｒ  Ｓｈａｒｅｄ  Ａｃｃｅｓｓ  Ｓｙｓｔｅｍ」という名称の米国特許仮出願第６１／７０３，０４８号、および２０１３年４月２６日に出願された「Ｍｅｔｈｏｄｓ  ａｎｄ  Ａｐｐａｒａｔｕｓ  ｆｏｒ  Ｓｈａｒｅｄ  Ａｃｃｅｓｓ  Ｓｙｓｔｅｍ」という名称の米国特許仮出願第６１／８１６，４８６号の利益を主張するものであり、これらの２つの出願のそれぞれの開示全体は、参照によって本明細書に組み込まれている。
【０００３】
現在では、十分に利用されていないスペクトルを共有するために、２層（ｔｗｏ−ｔｉｅｒｅｄ）構造の共有スペクトルアーキテクチャーが使用されている。しかしながら、２層構造の共有スペクトルを介して実行されるオペレーションは、２層構造の共有スペクトルアーキテクチャーのみを考慮しており、３層構造のシステムなど、より多くの層のシステムまたはアーキテクチャーを考慮していない。加えて、スペクトルを共有するための現在の手順は、共有スペクトルのオペレーションの品質を決定するためのメカニズムを提供することができない。
【発明の概要】
【０００４】
本明細書において開示されているのは、３層構造の共有スペクトルアーキテクチャーにおいてデバイスが機能することを可能にすることができる方法および装置など、共有アクセスシステムのための方法および装置である。共有スペクトルマネージャー（ＳＳＭ）が、スペクトルセグメントを編成することができる。ＳＳＭは、別々の優先度を有することが可能であるアクセスユーザ（ＡＵ）と通信することができ、スペクトルを要求すること、スペクトルを求めて入札すること、スペクトルを管理することなどのためにメッセージ交換を使用することができる。ＳＳＭは、アクセスユーザのアドミッション（ユーザへのスペクトルの割り当て）、およびスペクトル内のオペレーションを管理することができる。たとえば、ＳＳＭは、最低の（保証可能である）アクセス品質と最高のアクセス品質（ＱｏＡ）との間におけるレンジとして提供される要求を取り扱うことができる。ＳＳＭは、アクセスユーザが、割り振られたスペクトルを使用することができる方法を管理することもできる。複数のＳＳＭが存在することが可能である領域（たとえば、国境）においては、ＳＳＭ間の通信が使用可能である。このＳＳＭ間の通信および対応するアクションのためのトリガーは、本明細書において開示されている。
【０００５】
アクセス品質（ＱｏＡ）を提供することができる共有スペクトルの層の中のスペクトルを要求するための方法および装置が提供可能である。この装置は、複数のアクションを実行するように構成可能であるプロセッサを含むことができる。この装置などのアクセスユーザのためのＱｏＡを提供することができる共有スペクトルの層の中のスペクトルを求める要求が送信可能である。ＱｏＡに適合することが可能である、およびアクセスユーザによる使用のために割り当てられることが可能である共有スペクトルの中の利用可能なスペクトルのリストが受信可能である。利用可能なスペクトルのリストからスペクトルが決定可能である。スペクトルがアクセスユーザによる使用のために割り当てられることを要求するスペクトル使用メッセージが送信可能である。
【０００６】
共有スペクトルの層からのスペクトルを求める要求を管理するための方法および装置が提供可能である。この装置は、複数のアクションを実行するように構成可能であるプロセッサを含むことができる。共有スペクトルの層と、アクセスユーザのためのＱｏＡとを含むことができるスペクトル要求メッセージが受信可能である。アクセスユーザは、ＷＴＲＵ、アクセスポイント、基地局などであることが可能である。共有スペクトルの層の中の利用可能なスペクトルが決定可能である。利用可能なスペクトルは、アクセスユーザのためのＱｏＡに適合することができ、アクセスユーザに割り当てられることが可能であると言える。利用可能なスペクトルからアクセスユーザによるユーザのためにスペクトルが割り当てられることが可能である。
【０００７】
スペクトルを再割り当てするための方法および装置が提供可能である。この装置は、複数のアクションを実行するように構成可能であるプロセッサを含むことができる。スペクトルセグメントに関してＱｏＡが劣化したと言えるということを示すことができるＱｏＡイベントメッセージがアクセスユーザから受信可能である。アクセスユーザは、ＷＴＲＵであることが可能である。再割り当て要求が受信可能である。再割り当て要求は、スペクトルセグメントが共有スペクトルの層からの置換セグメントによって置換可能であることを要求することができる。ＱｏＡに適合することが可能である、およびアクセスユーザに割り当てられることが可能である利用可能なスペクトルが決定可能である。利用可能なスペクトルからの置換セグメントが、アクセスユーザに割り振られることが可能である。
【０００８】
スペクトルが再割り当てされることを要求するための方法および装置が提供可能である。この装置は、複数のアクションを実行するように構成可能であるプロセッサを含むことができる。スペクトルセグメントがもはやＱｏＡに適合することができないということが決定可能である。ＱｏＡイベントメッセージが共有スペクトルマネージャー（ＳＳＭ）に送信可能である。ＱｏＡイベントメッセージは、スペクトルセグメントに関してＱｏＡが劣化したと言えるということを示すことができる。スペクトルセグメントが共有スペクトルの層の中の置換セグメントと置換されることを要求するための再割り当て要求が送信可能である。
【０００９】
この「発明の概要」は、コンセプトのうちの選択されたものを、簡略化された形式で紹介するために提供されており、それらのコンセプトは、以降の「発明を実施するための形態」においてさらに記載されている。この「発明の概要」は、特許請求される主題の鍵となる特徴または必要不可欠な特徴を識別することを意図されておらず、特許請求される主題の範囲を限定するために使用されることも意図されていない。さらに、特許請求される主題は、本開示の任意の部分に記載されているあらゆるまたはすべての不利な点を解決するいかなる制限にも限定されるものではない。
【図面の簡単な説明】
【００１０】
例として添付の図面とともに与えられる以降の説明から、より詳細な理解が得られることが可能である。
【００１１】
【図１Ａ】１または複数の開示されている実施形態が実行可能である例示的な通信システムのシステム図である。
【図１Ｂ】図１Ａにおいて示されている通信システム内で使用可能である例示的な無線送受信ユニット（ＷＴＲＵ）のシステム図である。
【図１Ｃ】図１Ａにおいて示されている通信システム内で使用可能である例示的な無線アクセスネットワークおよび例示的なコアネットワークのシステム図である。
【図１Ｄ】図１Ａにおいて示されている通信システム内で使用可能である例示的な無線アクセスネットワークおよび例示的なコアネットワークのシステム図である。
【図１Ｅ】図１Ａにおいて示されている通信システム内で使用可能である例示的な無線アクセスネットワークおよび例示的なコアネットワークのシステム図である。
【図２】共有スペクトルへのアクセスのための３層階層システムの例を示す図である。
【図３】アクセス品質（ＱｏＡ）イベントが発生した場合にスペクトルを再割り当てするための手順の例を示す図である。
【図４】ＱｏＡが発生した場合にスペクトルを再割り当てするための手順の別の例を示す図である。
【図５】スペクトル割り当ておよび／または再割り当てのための手順の例を示す図である。
【図６】スペクトル割り当ておよび／または再割り当てのための手順の別の例を示す図である。
【図７】ＱｏＡイベントを取り扱うための例示的なロジックを示す図である。
【発明を実施するための形態】
【００１２】
本明細書において開示されているのは、３層構造の共有スペクトルアーキテクチャー、または複数層構造の共有スペクトルにおいてデバイスが機能することを可能にすることができる方法および装置など、共有アクセスシステムのための方法および装置である。共有スペクトルマネージャー（ＳＳＭ）が、スペクトルセグメントを編成することができる。ＳＳＭは、別々の優先度を有することが可能であるアクセスユーザ（ＡＵ）と通信することができ、スペクトルを要求すること、スペクトルを求めて入札すること、スペクトルを管理することなどのためにメッセージ交換を使用することができる。ＳＳＭは、アクセスユーザのアドミッション（たとえば、ユーザへのスペクトルの割り当て）、およびスペクトル内のオペレーションを管理することができる。たとえば、ＳＳＭは、オペレーションの最低の（保証可能である）品質と最高の品質との間におけるレンジとして提供される要求を取り扱うことができる。ＳＳＭは、アクセスユーザが、割り振られたスペクトルを使用することができる方法を管理することもできる。複数のＳＳＭが存在することが可能である領域（たとえば、国境）においては、ＳＳＭ間の通信が使用可能である。このＳＳＭ間の通信および対応するアクションのためのトリガーは、本明細書において開示されている。
【００１３】
３層構造の共有スペクトルアーキテクチャーにおけるオペレーションのためのメカニズムが、本明細書において開示されている。たとえば、定期的におよび／または不定期に発生することが可能であるスペクトルセグメントの再割り振りのためのメカニズムが使用可能である。別の例として、層３ユーザであることが可能である一般許可アクセスユーザ（ＧＡＡＵ）に対してスペクトルの一部分を予約するためのメカニズムが使用されることが可能であり、スペクトルのこの予約された部分をスペクトル再割り振りのために使用することが可能である。別の例として、共有スペクトルを価格設定するためのメカニズムが使用可能である。別の例として、スペクトルセグメントへの高優先度アクセスユーザの到来、および関連付けられているアクションを取り扱うためのメカニズムが使用可能である。
【００１４】
３層構造の共有スペクトルアーキテクチャーにおけるオペレーションを可能にするメカニズムが、本明細書において開示されている。たとえば、定期的におよび／または不定期に発生することが可能であるスペクトルセグメントの再割り振りのためのメカニズムが使用可能である。別の例として、一般許可アクセスユーザ（ＧＡＡＵ）に対してスペクトルの一部分を予約するためのメカニズムが使用されることが可能であり、スペクトルのこの予約された部分をスペクトル再割り振りのために使用することが可能である。別の例として、共有スペクトルを価格設定するためのメカニズムが使用可能である。別の例として、スペクトルセグメントへの高優先度アクセスユーザの到来、およびこの到来に関連付けられているアクションを取り扱うためのメカニズムが使用可能である。
【００１５】
共有スペクトルのセグメントを管理するための方法が提供可能である。第１のセグメント、第２のセグメント、および第３のセグメントが決定可能である。第１のセグメントは、プライマリーアクセスユーザ（ＰＡＵ）、セカンダリーアクセスユーザ（ＳＡＵ）、およびＧＡＡＵによって使用可能であると言える。第２のセグメントは、ＳＡＵおよびＧＡＡＵによって使用可能であると言える。第３のセグメントは、ＧＡＡＵによって使用可能であると言える。プライマリーアクセスユーザが第１のセグメントの使用を要求することができるということが決定可能である。セカンダリーアクセスユーザ（ＳＡＵ）が第１のセグメントを使用していると言えるということが決定可能である。ＳＡＵは、第２のセグメントへ移動可能である。
【００１６】
チャネル割り当てを再編成するための方法が提供可能である。帯域幅が混雑していると言えるということが決定可能である。その帯域幅を使用している第１のユーザは、第１の最高オペレーション品質（ＱｏＯ）を下げるよう要求される一方で、第１のユーザのためのＱｏＯを、保証可能であるＱｏＡまたはＱｏＯよりも高く保持することが可能である。その帯域幅を使用している第２のユーザは、その帯域幅があまり混雑していないと言える場合には、第２の最高ＱｏＯレベルを増大するよう要求可能である。
【００１７】
スペクトル再割り当てのための方法が提供可能である。スペクトルセグメントに関するＱｏＯにおける劣化が検知可能である。そのスペクトルセグメントは、無線送受信ユニット（ＷＴＲＵ）によって使用可能であるアクティブスペクトルセグメントであることが可能である。スペクトルセグメントに関するＱｏＯが、そのスペクトルセグメントに関するＱｏＡを下回っていると言えるということが決定可能である。スペクトルセグメントに関してＱｏＡまたはＱｏＯが劣化したと言えるということを示すためのＱｏＡイベントメッセージが、共有スペクトルマネージャー（ＳＳＭ）に送信可能である。たとえば、ＱｏＡイベントメッセージは、スペクトルセグメントに関するＱｏＯが、そのスペクトルセグメントに関するＱｏＡを下回っていると言えるということを示すことができる。ＱｏＡイベントメッセージは、スペクトルセグメントに関するＱｏＯまたはＱｏＡにおける劣化をもたらしている可能性がある検知された状況に関する情報を含むことができる。ＳＳＭがスペクトルセグメントを置換することを要求する再割り当て要求が、ＳＳＭに送信可能である。
【００１８】
スペクトル再割り当てのための方法が提供可能である。アクティブスペクトルセグメントに関してＱｏＡが劣化したと言えるということを示すＱｏＡイベントメッセージが、アクセスユーザ（ＡＵ）から受信可能である。アクセスユーザは、ＷＴＲＵ、アクセスポイント、または基地局であることが可能である。アクティブスペクトルセグメントを置換するための再割り当て要求が受信可能である。要求されたＱｏＡにマッチするために、置換スペクトルセグメントがＡＵに割り振られることが可能である。ＱｏＡを提供することができる共有スペクトルの層の中のスペクトルを要求するための方法および装置が提供可能である。この装置は、複数のアクションを実行するように構成可能であるプロセッサを含むことができる。この装置などのアクセスユーザのためのＱｏＡを提供することができる共有スペクトルの層の中のスペクトルを求める要求が送信可能である。ＱｏＡに適合することが可能である、およびアクセスユーザによる使用のために割り当てられることが可能である共有スペクトルの中の利用可能なスペクトルのリストが受信可能である。利用可能なスペクトルのリストからスペクトルが決定可能である。スペクトルがアクセスユーザによる使用のために割り当てられることを要求するためのスペクトル使用メッセージが送信可能である。
【００１９】
アクセス品質（ＱｏＡ）を提供することができる共有スペクトルの層の中のスペクトルを要求するための方法および装置が提供可能である。ＱｏＡは、エリア、時間、時間のパーセンテージ、スクランブリングコードなどに関するアクセスユーザによるスペクトルの排他的な使用に関連付けられることが可能である。ＱｏＡは、アクセスユーザにとっての受け入れ可能なレベルを下回っていると言えるスペクトルのノイズレベルに関連付けられることが可能である。アクセスユーザは、ＷＴＲＵ、アクセスポイント、または基地局であることが可能である。スペクトルを求める要求は、スペクトルが存在することができる周波数帯域を含むことができる。この装置は、複数のアクションを実行するように構成可能であるプロセッサを含むことができる。この装置などのアクセスユーザのためのＱｏＡを提供することができる共有スペクトルの層の中のスペクトルを求める要求が送信可能である。ＱｏＡに適合することが可能である、およびアクセスユーザによる使用のために割り当てられることが可能である共有スペクトルの中の利用可能なスペクトルのリストが受信可能である。利用可能なスペクトルのリストからスペクトルが決定可能である。利用可能なスペクトルは、要求されたスペクトルよりも大きいと言えるということが決定可能である。スペクトルがアクセスユーザによる使用のために割り当てられることを要求するためのスペクトル使用メッセージが送信可能である。スペクトルが割り当てられたと言えるということを示す割り当てメッセージが受信可能である。
【００２０】
利用可能なスペクトルのリストから代替スペクトルが決定可能である。代替スペクトルは、スペクトルがもはやＱｏＡに適合することができない場合によって使用可能である。スペクトル予約メッセージが送信可能である。スペクトル予約メッセージは、スペクトルがもはやＱｏＡに適合することができない場合にアクセスユーザによる可能性のある使用のために代替スペクトルがフラグを設定可能であることを要求することができる。
【００２１】
共有スペクトルの層からのスペクトルを求める要求を管理するための方法および装置が提供可能である。この装置は、複数のアクションを実行するように構成可能であるプロセッサを含むことができる。共有スペクトルの層と、アクセスユーザのためのＱｏＡとを含むことができるスペクトル要求メッセージが受信可能である。ＱｏＡは、エリア、時間、時間のパーセンテージ、スクランブリングコードなどに関するアクセスユーザによるスペクトルの排他的な使用に関連付けられることが可能である。ＱｏＡは、アクセスユーザの受け入れ可能なレベルを下回っていると言えるスペクトルのノイズレベルに関連付けられることが可能である。アクセスユーザは、ＷＴＲＵ、アクセスポイント、または基地局であることが可能である。共有スペクトルの層の中の利用可能なスペクトルが決定可能である。利用可能なスペクトルは、アクセスユーザのためのＱｏＡに適合することができ、アクセスユーザに割り当てられることが可能であると言える。利用可能なスペクトルのリストが、アクセスユーザに送信可能である。スペクトルがアクセスユーザによる使用のために利用可能なスペクトルから割り当てられることを要求することができるスペクトル使用メッセージが受信可能である。スペクトル要求メッセージは、スペクトルが存在することができる周波数帯域を含むことができる。
【００２２】
利用可能なスペクトルからのスペクトルが、アクセスユーザによるユーザのために割り当てられることが可能である。利用可能なスペクトルは、要求された周波数帯域内にあると言えるということが決定可能である。アクセスユーザによる可能性のある使用のために利用可能なスペクトルからの代替スペクトルがフラグを設定可能であることを要求することができるスペクトル予約メッセージが受信可能である。代替スペクトルは、スペクトルがＱｏＡに適合することができないと言える場合にアクセスユーザによる利用のために割り当てられることが可能である。
【００２３】
スペクトルを再割り当てするための方法および装置が提供可能である。この装置は、複数のアクションを実行するように構成可能であるプロセッサを含むことができる。スペクトルセグメントに関してＱｏＡが劣化したと言えるということを示すことができるＱｏＡイベントメッセージが、アクセスユーザから受信可能である。再割り当て要求が受信可能である。再割り当て要求は、スペクトルセグメントが共有スペクトルの層からの置換セグメントによって置換可能であることを要求することができる。再割り当て要求は、スペクトルが存在することができる周波数帯域を含むことができる。ＱｏＡに適合することが可能である、およびアクセスユーザに割り当てられることが可能である利用可能なスペクトルが決定可能である。利用可能なスペクトルのリストが、アクセスユーザに送信可能である。利用可能なスペクトルは、要求された周波数帯域内にあることが可能である。利用可能なスペクトルからの置換セグメントが、アクセスユーザに割り振られることが可能である。アクセスユーザは、ＷＴＲＵ、アクセスポイント、または基地局であることが可能である。スペクトルセグメントは、もはやアクセスユーザによる使用のために割り当てられないと言える場合には、解放可能である。
【００２４】
スペクトルが再割り当てされることを要求するための方法および装置が提供可能である。この装置は、複数のアクションを実行するように構成可能であるプロセッサを含むことができる。スペクトルセグメントがもはやＱｏＡに適合することができないということが決定可能である。ＱｏＡイベントメッセージが共有スペクトルマネージャー（ＳＳＭ）に送信可能である。ＱｏＡイベントメッセージは、スペクトルセグメントに関してＱｏＡが劣化したと言えるということを示すことができる。スペクトルセグメントが共有スペクトルの層の中の置換セグメントと置換されることを要求するための再割り当て要求が送信可能である。共有スペクトルの層の中にあることが可能である、およびＱｏＡに適合することが可能である利用可能なスペクトルのリストが受信可能である。利用可能なスペクトルのリストから置換スペクトルが決定可能である。
【００２５】
層構造の階層的な共有スペクトルにおいてオペレーションが実行可能である。たとえば、テレビジョンホワイトスペース（ＴＶＷＳ）と、産業科学医療（ＩＳＭ）帯域と、３．５ＧＨｚ帯域等などのフェデラル共有スペクトルとを含むことができる３層構造のシステムにおいて、オペレーションが実行可能である。
【００２６】
３層構造のシステムにおいては、スペクトルマネージャーへの帯域幅要求は、要求を行っているアクセスユーザのオペレーション品質（ＱｏＯ）またはＱｏＡを考慮に入れることができる。スペクトル割り当てポリシーは、アクセスユーザによって要求されたＱｏＯ保証を満たすために使用されることが可能であり、スペクトルの最適な使用、およびスペクトルユーザからもたらされる収益を提供することができる。スペクトル割り当てポリシーは、ＱｏＯ保証を保持しながらスペクトルが動的に編成および管理されることを可能にすることができる。
【００２７】
３層構造のシステムにおいては、割り当ては、単一の帯域にわたるものではないことが可能である。アクセスユーザに割り当てられることが可能であるスペクトルセグメントは、複数の帯域にわたることが可能であり、同じエンティティーによって管理可能である。チャネル明け渡しは、プライマリーアクセスユーザ（ＰＡＵ）、セカンダリーアクセスユーザ（ＳＡＵ）、および一般許可アクセスユーザ（ＧＡＡＵ）など、アクセスユーザのタイプに依存することが可能である。チャネル明け渡しは、アクセスユーザの優先度に依存することが可能である。たとえば、あるＳＡＵは、別のＳＡＵに勝る優先度を有することができる。層構造の階層的な共有スペクトルにおいては、セグメントどうしは、別々のサイズであることが可能である。
【００２８】
本明細書において開示されているのは、３層構造の共有スペクトルアーキテクチャーにおいてオペレーションを可能にする方法および装置など、共有アクセスシステムのための方法および装置である。共有スペクトルマネージャー（ＳＳＭ）が、スペクトルセグメントを編成することができる。ＳＳＭは、別々の優先度のアクセスユーザと通信することができ、アクセスユーザがスペクトルを要求すること、スペクトルを求めて入札すること、スペクトルを管理することなどを可能にすることができる。ＳＳＭは、アクセスユーザのアドミッション（たとえば、ユーザへのスペクトルの割り当て）、およびスペクトル要求を伴うオペレーションを管理することができる。スペクトル要求は、オペレーションの最低の（保証されている）品質と最高の品質との間におけるレンジを提供することができる。ＳＳＭは、アクセスユーザが、割り振られたスペクトルを使用することができる方法を管理することもできる。
【００２９】
共有スペクトルアクセス（ＳＳＡ）システムは、スペクトルマネージャーと、連続している場合があるまたは連続していない場合がある一連の帯域にわたって共有スペクトルにおいて機能することができる複数のユーザとを含むことができるシステムであることが可能である。ＳＳＡは、共有スペクトルマネージャーを含むことができる。
【００３０】
共有スペクトルマネージャー（ＳＳＭ）は、帯域または一連の帯域にわたって共有スペクトルを管理することができる集中型のまたは分散型のエンティティーであることが可能である。帯域は、ユーザに関して自分自身のポリシー、ルール、および／またはインターフェースを有することができる。
【００３１】
アクセスユーザ（ＡＵ）は、共有スペクトル上で機能したいと希望する場合があるネットワーク、システム、またはオペレータであることが可能である。プライマリーアクセスユーザ（ＰＡＵ）、セカンダリーアクセスユーザ（ＳＡＵ）、一般許可アクセスユーザ（ＧＡＡＵ）など、複数の異なるクラスのアクセスユーザが存在する場合がある。
【００３２】
スペクトルセグメントは、ＳＳＡによって管理可能である、スペクトルの部分であることが可能である。セグメントどうしは、同じサイズである場合もあり、または同じサイズでない場合もある。
【００３３】
オペレーション品質（ＱｏＯ）は、共有スペクトル、または共有スペクトルの指定された部分に関連付けられることが可能である品質測定（ｑｕａｌｉｔｙ  ｍｅｔｒｉｃ）を含むことができる。ＱｏＯは、キャパシティー、スループット、オペレーションの時間、スペクトルにわたって得られたスペクトル効率などを指すことができる。アクセスユーザのＱｏＯは、そのＡＵによるスペクトル使用の効果を示す値を含むことができる。
【００３４】
保証されたＱｏＯは、排他的なオペレーションが可能であると言える場合に、ロケーションに関して、およびタイムピリオドに関して使用可能スペクトルの量を含むことができる。たとえば、保証されたＱｏＯは、３０％という時間における排他性を伴う場合には、２０Ｍｈｚであることが可能である。時間における排他性は、スペクトルのサブセットにおけるもの、コード、周波数におけるものなどであることが可能である。保証されたＱｏＯは、保証されたアクセス品質（ＱｏＡ）と呼ばれる場合もある。ＱｏＡは、保証された排他性、たとえば、時間における排他性、スペクトルのサブセットにおける排他性、コードにおける排他性などを伴って、ロケーションエリアに関して使用可能である保護基準およびスペクトルの量であることも可能である。たとえば、ＱｏＡは、−９０ｄＢｍという最大ノイズレベルおよび時間における１００％の排他性を伴って２０ＭＨｚであることが可能である。
【００３５】
図１Ａは、１または複数の開示されている実施形態が実行可能である例示的な通信システム１００の図である。通信システム１００は、コンテンツ、たとえば音声、データ、ビデオ、メッセージング、放送などを複数のワイヤレスユーザに提供するマルチプルアクセスシステムであることが可能である。通信システム１００は、複数のワイヤレスユーザが、ワイヤレス帯域幅を含むシステムリソースの共有を通じてそのようなコンテンツにアクセスすることを可能にすることができる。たとえば、通信システム１００は、１または複数のチャネルアクセス方法、たとえば符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などを採用することができる。
【００３６】
図１Ａにおいて示されているように、通信システム１００は、無線送受信ユニット（ＷＴＲＵ）１０２ａ、１０２ｂ、１０２ｃ、および／または１０２ｄ（全体として、または総称して、ＷＴＲＵ１０２と呼ばれる場合がある）、無線アクセスネットワーク（ＲＡＮ）１０３／１０４／１０５、コアネットワーク１０６／１０７／１０９、公衆交換電話網（ＰＳＴＮ）１０８、インターネット１１０、ならびにその他のネットワーク１１２を含むことができるが、開示されている実施形態は、任意の数のＷＴＲＵ、基地局、ネットワーク、および／またはネットワーク要素を想定しているということが理解されるであろう。ＷＴＲＵ１０２ａ、１０２ｂ、１０２ｃ、１０２ｄのそれぞれは、ワイヤレス環境において動作および／または通信を行うように構成されている任意のタイプのデバイスであることが可能である。例として、ＷＴＲＵ１０２ａ、１０２ｂ、１０２ｃ、１０２ｄは、ワイヤレス信号を送信および／または受信するように構成されることが可能であり、ユーザ機器（ＵＥ）、移動局、固定式または移動式のサブスクライバーユニット、ページャー、セルラー電話、携帯情報端末（ＰＤＡ）、スマートフォン、ラップトップ、ネットブック、パーソナルコンピュータ、ワイヤレスセンサ、家庭用電化製品などを含むことができる。
【００３７】
通信システム１００は、基地局１１４ａおよび基地局１１４ｂを含むこともできる。基地局１１４ａ、１１４ｂのそれぞれは、コアネットワーク１０６／１０７／１０９、インターネット１１０、および／またはネットワーク１１２などの１または複数の通信ネットワークへのアクセスを容易にするために、ＷＴＲＵ１０２ａ、１０２ｂ、１０２ｃ、１０２ｄのうちの少なくとも１つとワイヤレスにインターフェース接続するように構成されている任意のタイプのデバイスであることが可能である。例として、基地局１１４ａ、１１４ｂは、ベーストランシーバステーション（ＢＴＳ）、Ｎｏｄｅ−Ｂ、ｅＮｏｄｅ  Ｂ、ホームＮｏｄｅ  Ｂ、ホームｅＮｏｄｅ  Ｂ、サイトコントローラ、アクセスポイント（ＡＰ）、ワイヤレスルータなどであることが可能である。基地局１１４ａ、１１４ｂは、それぞれ単一の要素として示されているが、基地局１１４ａ、１１４ｂは、任意の数の相互接続された基地局および／またはネットワーク要素を含むことができるということが理解されるであろう。
【００３８】
基地局１１４ａは、ＲＡＮ１０３／１０４／１０５の一部であることが可能であり、ＲＡＮ１０３／１０４／１０５は、その他の基地局および／またはネットワーク要素（図示せず）、たとえば基地局コントローラ（ＢＳＣ）、無線ネットワークコントローラ（ＲＮＣ）、中継ノードなどを含むこともできる。基地局１１４ａおよび／または基地局１１４ｂは、特定の地理的領域内でワイヤレス信号を送信および／または受信するように構成されることが可能であり、その地理的領域は、セル（図示せず）と呼ばれることがある。セルは、セルセクタへとさらに分割可能である。たとえば、基地局１１４ａに関連付けられているセルは、３つのセクタへと分割可能である。したがって一実施形態においては、基地局１１４ａは、３つのトランシーバ、すなわち、セルのそれぞれのセクタごとに１つのトランシーバを含むことができる。別の実施形態においては、基地局１１４ａは、多入力多出力（ＭＩＭＯ）テクノロジーを採用することができ、したがって、セルのそれぞれのセクタごとに複数のトランシーバを利用することができる。
【００３９】
基地局１１４ａ、１１４ｂは、エアインターフェース１１５／１１６／１１７を介してＷＴＲＵ１０２ａ、１０２ｂ、１０２ｃ、１０２ｄのうちの１または複数と通信することができ、エアインターフェース１１５／１１６／１１７は、任意の適切なワイヤレス通信リンク（たとえば、無線周波数（ＲＦ）、マイクロ波、赤外線（ＩＲ）、紫外線（ＵＶ）、可視光など）であることが可能である。エアインターフェース１１５／１１６／１１７は、任意の適切な無線アクセステクノロジー（ＲＡＴ）を使用して確立可能である。
【００４０】
より具体的には、上述したように、通信システム１００は、マルチプルアクセスシステムであることが可能であり、１または複数のチャネルアクセススキーム、たとえばＣＤＭＡ、ＴＤＭＡ、ＦＤＭＡ、ＯＦＤＭＡ、ＳＣ−ＦＤＭＡなどを採用することができる。たとえば、ＲＡＮ１０３／１０４／１０５内の基地局１１４ａ、およびＷＴＲＵ１０２ａ、１０２ｂ、１０２ｃは、ユニバーサルモバイルテレコミュニケーションズシステム（ＵＭＴＳ）テレストリアルラジオアクセス（ＵＴＲＡ）などの無線テクノロジーを実施することができ、この無線テクノロジーは、ワイドバンドＣＤＭＡ（ＷＣＤＭＡ（登録商標））を使用してエアインターフェース１１５／１１６／１１７を確立することができる。ＷＣＤＭＡは、ハイスピードパケットアクセス（ＨＳＰＡ）および／またはエボルブドＨＳＰＡ（ＨＳＰＡ＋）などの通信プロトコルを含むことができる。ＨＳＰＡは、ハイスピードダウンリンクパケットアクセス（ＨＳＤＰＡ）および／またはハイスピードアップリンクパケットアクセス（ＨＳＵＰＡ）を含むことができる。
【００４１】
別の実施形態においては、基地局１１４ａおよびＷＴＲＵ１０２ａ、１０２ｂ、１０２ｃは、エボルブドＵＭＴＳテレストリアルラジオアクセス（Ｅ−ＵＴＲＡ）などの無線テクノロジーを実行することができ、この無線テクノロジーは、ロングタームエボリューション（ＬＴＥ）および／またはＬＴＥアドバンスト（ＬＴＥ−Ａ）を使用してエアインターフェース１１５／１１６／１１７を確立することができる。
【００４２】
その他の実施形態においては、基地局１１４ａおよびＷＴＲＵ１０２ａ、１０２ｂ、１０２ｃは、無線テクノロジー、たとえばＩＥＥＥ  ８０２．１６（すなわちワールドワイドインターオペラビリティーフォーマイクロウェーブアクセス（ＷｉＭＡＸ））、ＣＤＭＡ２０００、ＣＤＭＡ２０００  １Ｘ、ＣＤＭＡ２０００ＥＶ−ＤＯ、暫定標準２０００（ＩＳ−２０００）、暫定標準９５（ＩＳ−９５）、暫定標準８５６（ＩＳ−８５６）、グローバルシステムフォーモバイルコミュニケーションズ（ＧＳＭ（登録商標））、エンハンストデータレートフォーＧＳＭエボリューション（ＥＤＧＥ）、ＧＳＭ  ＥＤＧＥ（ＧＥＲＡＮ）などを実行することができる。
【００４３】
図１Ａにおける基地局１１４ｂは、たとえばワイヤレスルータ、ホームＮｏｄｅ  Ｂ、ホームｅＮｏｄｅ  Ｂ、またはアクセスポイントであることが可能であり、局所的なエリア、たとえば事業所、家庭、乗り物、キャンパスなどにおけるワイヤレス接続を容易にするために、任意の適切なＲＡＴを利用することができる。一実施形態においては、基地局１１４ｂおよびＷＴＲＵ１０２ｃ、１０２ｄは、ワイヤレスローカルエリアネットワーク（ＷＬＡＮ）を確立するために、ＩＥＥＥ  ８０２．１１などの無線テクノロジーを実行することができる。別の実施形態においては、基地局１１４ｂおよびＷＴＲＵ１０２ｃ、１０２ｄは、ワイヤレスパーソナルエリアネットワーク（ＷＰＡＮ）を確立するために、ＩＥＥＥ  ８０２．１５などの無線テクノロジーを実行することができる。さらに別の実施形態においては、基地局１１４ｂおよびＷＴＲＵ１０２ｃ、１０２ｄは、ピコセルまたはフェムトセルを確立するために、セルラーベースのＲＡＴ（たとえば、ＷＣＤＭＡ、ＣＤＭＡ２０００、ＧＳＭ、ＬＴＥ、ＬＴＥ−Ａなど）を利用することができる。図１Ａにおいて示されているように、基地局１１４ｂは、インターネット１１０への直接接続を有することができる。したがって、基地局１１４ｂは、コアネットワーク１０６／１０７／１０９を介してインターネット１１０にアクセスすることを求められないことが可能である。
【００４４】
ＲＡＮ１０３／１０４／１０５は、コアネットワーク１０６／１０７／１０９と通信状態にあることが可能であり、コアネットワーク１０６／１０７／１０９は、音声、データ、アプリケーション、および／またはボイスオーバーインターネットプロトコル（ＶｏＩＰ）サービスをＷＴＲＵ１０２ａ、１０２ｂ、１０２ｃ、１０２ｄのうちの１または複数に提供するように構成されている任意のタイプのネットワークであることが可能である。たとえば、コアネットワーク１０６／１０７／１０９は、コール制御、料金請求サービス、モバイルロケーションベースサービス、プリペイドコーリング、インターネット接続、ビデオ分配などを提供すること、および／またはユーザ認証などのハイレベルセキュリティー機能を実行することが可能である。図１Ａにおいては示されていないが、ＲＡＮ１０３／１０４／１０５および／またはコアネットワーク１０６／１０７／１０９は、ＲＡＮ１０３／１０４／１０５と同じＲＡＴまたは異なるＲＡＴを採用しているその他のＲＡＮと直接または間接の通信状態にあることが可能であるということが理解されるであろう。たとえば、コアネットワーク１０６／１０７／１０９は、Ｅ−ＵＴＲＡ無線テクノロジーを利用している可能性があるＲＡＮ１０３／１０４／１０５に接続されていることに加えて、ＧＳＭ無線テクノロジーを採用している別のＲＡＮ（図示せず）と通信状態にあることも可能である。
【００４５】
コアネットワーク１０６／１０７／１０９は、ＷＴＲＵ１０２ａ、１０２ｂ、１０２ｃ、１０２ｄがＰＳＴＮ１０８、インターネット１１０、および／またはその他のネットワーク１１２にアクセスするためのゲートウェイとして機能することもできる。ＰＳＴＮ１０８は、単純旧式電話サービス（ＰＯＴＳ）を提供する回線交換電話ネットワークを含むことができる。インターネット１１０は、トランスミッションコントロールプロトコル（ＴＣＰ）ユーザデータグラムプロトコル（ＵＤＰ）、ＴＣＰ／ＩＰインターネットプロトコルスイートにおけるインターネットプロトコル（ＩＰ）、およびＩＰなど、共通の通信プロトコルを使用する相互接続されたコンピュータネットワークおよびデバイスからなるグローバルシステムを含むことができる。ネットワーク１１２は、その他のサービスプロバイダによって所有および／または運営されている有線またはワイヤレスの通信ネットワークを含むことができる。たとえば、ネットワーク１１２は、ＲＡＮ１０３／１０４／１０５と同じＲＡＴまたは異なるＲＡＴを採用している可能性がある１または複数のＲＡＮに接続されている別のコアネットワークを含むことができる。
【００４６】
通信システム１００内のＷＴＲＵ１０２ａ、１０２ｂ、１０２ｃ、１０２ｄのうちのいくつかまたはすべては、マルチモード機能を含むことができ、すなわち、ＷＴＲＵ１０２ａ、１０２ｂ、１０２ｃ、１０２ｄは、別々のワイヤレスリンクを介して別々のワイヤレスネットワークと通信するために複数のトランシーバを含むことができる。たとえば、図１Ａにおいて示されているＷＴＲＵ１０２ｃは、セルラーベースの無線テクノロジーを採用している可能性がある基地局１１４ａ、およびＩＥＥＥ  ８０２無線テクノロジーを採用している可能性がある基地局１１４ｂと通信するように構成可能である。
【００４７】
図１Ｂは、例示的なＷＴＲＵ１０２のシステム図である。図１Ｂにおいて示されているように、ＷＴＲＵ１０２は、プロセッサ１１８、トランシーバ１２０、送信／受信要素１２２、スピーカー／マイクロフォン１２４、キーパッド１２６、ディスプレイ／タッチパッド１２８、取り外し不能メモリ１３０、取り外し可能メモリ１３２、電源１３４、グローバルポジショニングシステム（ＧＰＳ）チップセット１３６、およびその他の周辺機器１３８を含むことができる。ＷＴＲＵ１０２は、実施形態との整合性を保持しながら、上述の要素どうしの任意の下位組合せを含むことができるということが理解されるであろう。また実施形態は、基地局１１４ａおよび１１４ｂ、ならびに／または、基地局１１４ａおよび１１４ｂが相当することが可能であるノード（数ある中でも、トランシーバステーション（ＢＴＳ）、Ｎｏｄｅ−Ｂ、サイトコントローラ、アクセスポイント（ＡＰ）、ホームｎｏｄｅ−Ｂ、エボルブドホームｎｏｄｅ−Ｂ（ｅＮｏｄｅＢ）、ホームエボルブドｎｏｄｅ−Ｂ（ＨｅＮＢ）、ホームエボルブドｎｏｄｅ−Ｂゲートウェイ、およびプロキシノードなどであるが、それらには限定されない）は、図１Ｂにおいて示され本明細書において記載されている要素のうちのいくつかまたはすべてを含むことができるということを想定している。
【００４８】
プロセッサ１１８は、汎用プロセッサ、専用プロセッサ、従来型プロセッサ、デジタルシグナルプロセッサ（ＤＳＰ）、複数のマイクロプロセッサ、ＤＳＰコアと関連付けられている１もしくは複数のマイクロプロセッサ、コントローラ、マイクロコントローラ、特定用途向け集積回路（ＡＳＩＣ）、フィールドプログラマブルゲートアレイ（ＦＰＧＡ）回路、その他の任意のタイプの集積回路（ＩＣ）、状態マシンなどであることが可能である。プロセッサ１１８は、信号コーディング、データ処理、パワー制御、入力／出力処理、および／または、ＷＴＲＵ１０２がワイヤレス環境において機能することを可能にするその他の任意の機能を実行することができる。プロセッサ１１８は、トランシーバ１２０に結合されることが可能であり、トランシーバ１２０は、送信／受信要素１２２に結合可能である。図１Ｂは、プロセッサ１１８とトランシーバ１２０を別々のコンポーネントとして示しているが、プロセッサ１１８とトランシーバ１２０は、電子パッケージまたはチップ内にともに統合可能であるということが理解されるであろう。
【００４９】
送信／受信要素１２２は、エアインターフェース１１５／１１６／１１７を介して、基地局（たとえば、基地局１１４ａ）に信号を送信するように、または基地局（たとえば、基地局１１４ａ）から信号を受信するように構成可能である。たとえば、一実施形態においては、送信／受信要素１２２は、ＲＦ信号を送信および／または受信するように構成されているアンテナであることが可能である。別の実施形態においては、送信／受信要素１２２は、たとえば、ＩＲ信号、ＵＶ信号、または可視光信号を送信および／または受信するように構成されているエミッタ／検知器であることが可能である。さらに別の実施形態においては、送信／受信要素１２２は、ＲＦ信号および光信号の両方を送信および受信するように構成可能である。送信／受信要素１２２は、ワイヤレス信号の任意の組合せを送信および／または受信するように構成可能であるということが理解されるであろう。
【００５０】
加えて、送信／受信要素１２２は、図１Ｂにおいては単一の要素として示されているが、ＷＴＲＵ１０２は、任意の数の送信／受信要素１２２を含むことができる。より具体的には、ＷＴＲＵ１０２は、ＭＩＭＯテクノロジーを採用することができる。したがって、一実施形態においては、ＷＴＲＵ１０２は、エアインターフェース１１５／１１６／１１７を介してワイヤレス信号を送信および受信するために、複数の送信／受信要素１２２（たとえば、複数のアンテナ）を含むことができる。
【００５１】
トランシーバ１２０は、送信／受信要素１２２によって送信されることになる信号を変調するように、また、送信／受信要素１２２によって受信される信号を復調するように構成可能である。上述したように、ＷＴＲＵ１０２は、マルチモード機能を有することができる。したがってトランシーバ１２０は、ＷＴＲＵ１０２が、たとえばＵＴＲＡおよびＩＥＥＥ  ８０２．１１など、複数のＲＡＴを介して通信することを可能にするために複数のトランシーバを含むことができる。
【００５２】
ＷＴＲＵ１０２のプロセッサ１１８は、スピーカー／マイクロフォン１２４、キーパッド１２６、および／またはディスプレイ／タッチパッド１２８（たとえば、液晶ディスプレイ（ＬＣＤ）ディスプレイユニットもしくは有機発光ダイオード（ＯＬＥＤ）ディスプレイユニット）に結合されることが可能であり、そこからユーザ入力データを受信することができる。プロセッサ１１８は、ユーザデータをスピーカー／マイクロフォン１２４、キーパッド１２６、および／またはディスプレイ／タッチパッド１２８へ出力することもできる。加えて、プロセッサ１１８は、取り外し不能メモリ１３０および／または取り外し可能メモリ１３２など、任意のタイプの適切なメモリからの情報にアクセスすること、およびそれらのメモリにデータを格納することが可能である。取り外し不能メモリ１３０は、ランダムアクセスメモリ（ＲＡＭ）、読み取り専用メモリ（ＲＯＭ）、ハードディスク、またはその他の任意のタイプのメモリストレージデバイスを含むことができる。取り外し可能メモリ１３２は、サブスクライバーアイデンティティーモジュール（ＳＩＭ）カード、メモリスティック、セキュアデジタル（ＳＤ）メモリカードなどを含むことができる。その他の実施形態においては、プロセッサ１１８は、サーバまたはホームコンピュータ（図示せず）上など、ＷＴＲＵ１０２上に物理的に配置されていないメモリからの情報にアクセスすること、およびそのメモリにデータを格納することが可能である。
【００５３】
プロセッサ１１８は、電源１３４から電力を受け取ることができ、また、ＷＴＲＵ１０２内のその他のコンポーネントへの電力を分配および／または制御するように構成可能である。電源１３４は、ＷＴＲＵ１０２に電力供給するための任意の適切なデバイスであることが可能である。たとえば、電源１３４は、１または複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００５４】
プロセッサ１１８は、ＧＰＳチップセット１３６に結合されることも可能であり、ＧＰＳチップセット１３６は、ＷＴＲＵ１０２の現在のロケーションに関するロケーション情報（たとえば、経度および緯度）を提供するように構成可能である。ＷＴＲＵ１０２は、ＧＰＳチップセット１３６からの情報に加えて、またはその情報の代わりに、基地局（たとえば、基地局１１４ａ、１１４ｂ）からエアインターフェース１１５／１１６／１１７を介してロケーション情報を受信すること、および／または複数の近隣の基地局から受信されている信号のタイミングに基づいて自分のロケーションを決定することが可能である。ＷＴＲＵ１０２は、実施形態との整合性を保持しながら、任意の適切なロケーション決定方法を通じてロケーション情報を取得することができるということが理解されるであろう。
【００５５】
プロセッサ１１８は、その他の周辺機器１３８にさらに結合されることが可能であり、その他の周辺機器１３８は、さらなる特徴、機能、および／または有線接続もしくはワイヤレス接続を提供する１または複数のソフトウェアモジュールおよび／またはハードウェアモジュールを含むことができる。たとえば、周辺機器１３８は、加速度計、ｅコンパス、衛星トランシーバ、デジタルカメラ（写真またはビデオ用）、ユニバーサルシリアルバス（ＵＳＢ）ポート、振動デバイス、テレビジョントランシーバ、ハンドフリーヘッドセット、Ｂｌｕｅｔｏｏｔｈ（登録商標）モジュール、周波数変調（ＦＭ）ラジオユニット、デジタルミュージックプレーヤ、メディアプレーヤ、ビデオゲームプレーヤモジュール、インターネットブラウザなどを含むことができる。
【００５６】
図１Ｃは、実施形態によるＲＡＮ１０３およびコアネットワーク１０６のシステム図である。上述したように、ＲＡＮ１０３は、エアインターフェース１１５を介してＷＴＲＵ１０２ａ、１０２ｂ、１０２ｃと通信するためにＵＴＲＡ無線テクノロジーを採用することができる。ＲＡＮ１０３は、コアネットワーク１０６と通信状態にあることも可能である。図１Ｃにおいて示されているように、ＲＡＮ１０３は、Ｎｏｄｅ−Ｂ１４０ａ、１４０ｂ、１４０ｃを含むことができ、これらのＮｏｄｅ−Ｂはそれぞれ、エアインターフェース１１５を介してＷＴＲＵ１０２ａ、１０２ｂ、１０２ｃと通信するために１または複数のトランシーバを含むことができる。Ｎｏｄｅ−Ｂ１４０ａ、１４０ｂ、１４０ｃはそれぞれ、ＲＡＮ１０３内の特定のセル（図示せず）に関連付けられることが可能である。ＲＡＮ１０３は、ＲＮＣ１４２ａ、１４２ｂを含むこともできる。ＲＡＮ１０３は、実施形態との整合性を保持しながら、任意の数のＮｏｄｅ−ＢおよびＲＮＣを含むことができるということが理解されるであろう。
【００５７】
図１Ｃにおいて示されているように、Ｎｏｄｅ−Ｂ１４０ａ、１４０ｂは、ＲＮＣ１４２ａと通信状態にあることが可能である。加えて、Ｎｏｄｅ−Ｂ１４０ｃは、ＲＮＣ１４２ｂと通信状態にあることが可能である。Ｎｏｄｅ−Ｂ１４０ａ、１４０ｂ、１４０ｃは、Ｉｕｂインターフェースを介してそれぞれのＲＮＣ１４２ａ、１４２ｂと通信することができる。ＲＮＣ１４２ａ、１４２ｂは、Ｉｕｒインターフェースを介して互いに通信状態にあることが可能である。ＲＮＣ１４２ａ、１４２ｂのそれぞれは、自分が接続されているそれぞれのＮｏｄｅ−Ｂ１４０ａ、１４０ｂ、１４０ｃを制御するように構成可能である。加えて、ＲＮＣ１４２ａ、１４２ｂのそれぞれは、その他の機能、たとえば、アウターループパワー制御、負荷制御、アドミッション制御、パケットスケジューリング、ハンドオーバ制御、マクロダイバーシティー、セキュリティー機能、データ暗号化などを実行またはサポートするように構成可能である。
【００５８】
図１Ｃにおいて示されているコアネットワーク１０６は、メディアゲートウェイ（ＭＧＷ）１４４、モバイルスイッチングセンター（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上述の要素のうちのそれぞれは、コアネットワーク１０６の一部として示されているが、これらの要素のうちのいずれかの要素が、コアネットワークオペレータ以外のエンティティーによって所有および／または運営されることも可能であるということが理解されるであろう。
【００５９】
ＲＡＮ１０３内のＲＮＣ１４２ａは、ＩｕＣＳインターフェースを介してコアネットワーク１０６内のＭＳＣ１４６に接続可能である。ＭＳＣ１４６は、ＭＧＷ１４４に接続可能である。ＭＳＣ１４６およびＭＧＷ１４４は、ＷＴＲＵ１０２ａ、１０２ｂ、１０２ｃと、従来の地上通信線通信デバイスとの間における通信を容易にするために、ＰＳＴＮ１０８などの回線交換ネットワークへのアクセスをＷＴＲＵ１０２ａ、１０２ｂ、１０２ｃに提供することができる。
【００６０】
ＲＡＮ１０３内のＲＮＣ１４２ａは、ＩｕＰＳインターフェースを介してコアネットワーク１０６内のＳＧＳＮ１４８に接続されることも可能である。ＳＧＳＮ１４８は、ＧＧＳＮ１５０に接続可能である。ＳＧＳＮ１４８およびＧＧＳＮ１５０は、ＷＴＲＵ１０２ａ、１０２ｂ、１０２ｃと、ＩＰ対応デバイスとの間における通信を容易にするために、インターネット１１０などのパケット交換ネットワークへのアクセスをＷＴＲＵ１０２ａ、１０２ｂ、１０２ｃに提供することができる。
【００６１】
上述したように、コアネットワーク１０６は、ネットワーク１１２に接続されることも可能であり、ネットワーク１１２は、その他のサービスプロバイダによって所有および／または運営されているその他の有線ネットワークまたはワイヤレスネットワークを含むことができる。
【００６２】
図１Ｄは、実施形態によるＲＡＮ１０４およびコアネットワーク１０７のシステム図である。上述したように、ＲＡＮ１０４は、エアインターフェース１１６を介してＷＴＲＵ１０２ａ、１０２ｂ、１０２ｃと通信するためにＥ−ＵＴＲＡ無線テクノロジーを採用することができる。ＲＡＮ１０４は、コアネットワーク１０７と通信状態にあることも可能である。
【００６３】
ＲＡＮ１０４は、ｅＮｏｄｅ−Ｂ１６０ａ、１６０ｂ、１６０ｃを含むことができるが、ＲＡＮ１０４は、実施形態との整合性を保持しながら、任意の数のｅＮｏｄｅ−Ｂを含むことができるということが理解されるであろう。ｅＮｏｄｅ−Ｂ１６０ａ、１６０ｂ、１６０ｃはそれぞれ、エアインターフェース１１６を介してＷＴＲＵ１０２ａ、１０２ｂ、１０２ｃと通信するために１または複数のトランシーバを含むことができる。一実施形態においては、ｅＮｏｄｅ−Ｂ１６０ａ、１６０ｂ、１６０ｃは、ＭＩＭＯテクノロジーを実行することができる。したがってｅＮｏｄｅ−Ｂ１６０ａは、たとえば、ＷＴＲＵ１０２ａにワイヤレス信号を送信するために、およびＷＴＲＵ１０２ａからワイヤレス信号を受信するために、複数のアンテナを使用することができる。
【００６４】
ｅＮｏｄｅ−Ｂ１６０ａ、１６０ｂ、１６０ｃのそれぞれは、特定のセル（図示せず）に関連付けられることが可能であり、無線リソース管理決定、ハンドオーバ決定、アップリンクおよび／またはダウンリンクにおけるユーザのスケジューリングなどを取り扱うように構成可能である。図１Ｄにおいて示されているように、ｅＮｏｄｅ−Ｂ１６０ａ、１６０ｂ、１６０ｃは、Ｘ２インターフェースを介して互いに通信することができる。
【００６５】
図１Ｄにおいて示されているコアネットワーク１０７は、モビリティー管理ゲートウェイ（ＭＭＥ）１６２、サービングゲートウェイ１６４、およびパケットデータネットワーク（ＰＤＮ）ゲートウェイ１６６を含むことができる。上述の要素のうちのそれぞれは、コアネットワーク１０７の一部として示されているが、これらの要素のうちのいずれかの要素が、コアネットワークオペレータ以外のエンティティーによって所有および／または運営されることも可能であるということが理解されるであろう。
【００６６】
ＭＭＥ１６２は、Ｓ１インターフェースを介してＲＡＮ１０４内のｅＮｏｄｅ−Ｂ１６０ａ、１６０ｂ、１６０ｃのそれぞれに接続されることが可能であり、制御ノードとして機能することができる。たとえば、ＭＭＥ１６２は、ＷＴＲＵ１０２ａ、１０２ｂ、１０２ｃのユーザを認証すること、ベアラアクティブ化／非アクティブ化、ＷＴＲＵ１０２ａ、１０２ｂ、１０２ｃの最初の接続中に特定のサービングゲートウェイを選択することなどを担当することができる。ＭＭＥ１６２は、ＲＡＮ１０４と、ＧＳＭまたはＷＣＤＭＡなどのその他の無線テクノロジーを採用しているその他のＲＡＮ（図示せず）との間における切り替えを行うための制御プレーン機能を提供することもできる。
【００６７】
サービングゲートウェイ１６４は、Ｓ１インターフェースを介してＲＡＮ１０４内のｅＮｏｄｅ−Ｂ１６０ａ、１６０ｂ、１６０ｃのそれぞれに接続可能である。サービングゲートウェイ１６４は一般に、ユーザデータパケットをＷＴＲＵ１０２ａ、１０２ｂ、１０２ｃへ／ＷＴＲＵ１０２ａ、１０２ｂ、１０２ｃから回送および転送することができる。サービングゲートウェイ１６４は、その他の機能、たとえば、ｅＮｏｄｅ  Ｂ間でのハンドオーバ中にユーザプレーンを固定すること、ＷＴＲＵ１０２ａ、１０２ｂ、１０２ｃにとってダウンリンクデータが利用可能である場合にページングをトリガーすること、ＷＴＲＵ１０２ａ、１０２ｂ、１０２ｃのコンテキストを管理および格納することなどを実行することもできる。
【００６８】
サービングゲートウェイ１６４は、ＰＤＮゲートウェイ１６６に接続されることも可能であり、ＰＤＮゲートウェイ１６６は、ＷＴＲＵ１０２ａ、１０２ｂ、１０２ｃと、ＩＰ対応デバイスとの間における通信を容易にするために、インターネット１１０などのパケット交換ネットワークへのアクセスをＷＴＲＵ１０２ａ、１０２ｂ、１０２ｃに提供することができる。
【００６９】
コアネットワーク１０７は、その他のネットワークとの通信を容易にすることができる。たとえば、コアネットワーク１０７は、ＷＴＲＵ１０２ａ、１０２ｂ、１０２ｃと、従来の地上通信線通信デバイスとの間における通信を容易にするために、ＰＳＴＮ１０８などの回線交換ネットワークへのアクセスをＷＴＲＵ１０２ａ、１０２ｂ、１０２ｃに提供することができる。たとえば、コアネットワーク１０７は、コアネットワーク１０７とＰＳＴＮ１０８との間におけるインターフェースとして機能するＩＰゲートウェイ（たとえば、ＩＰマルチメディアサブシステム（ＩＭＳ）サーバ）を含むことができ、またはそうしたＩＰゲートウェイと通信することができる。加えて、コアネットワーク１０７は、ネットワーク１１２へのアクセスをＷＴＲＵ１０２ａ、１０２ｂ、１０２ｃに提供することができ、ネットワーク１１２は、その他のサービスプロバイダによって所有および／または運営されているその他の有線ネットワークまたはワイヤレスネットワークを含むことができる。
【００７０】
図１Ｅは、実施形態によるＲＡＮ１０５およびコアネットワーク１０９のシステム図である。ＲＡＮ１０５は、エアインターフェース１１７を介してＷＴＲＵ１０２ａ、１０２ｂ、１０２ｃと通信するためにＩＥＥＥ８０２．１６無線テクノロジーを採用しているアクセスサービスネットワーク（ＡＳＮ）であることが可能である。以降でさらに論じられるように、ＷＴＲＵ１０２ａ、１０２ｂ、１０２ｃ、ＲＡＮ１０５、およびコアネットワーク１０９という別々の機能エンティティーの間における通信リンクは、リファレンスポイントとして定義可能である。
【００７１】
図１Ｅにおいて示されているように、ＲＡＮ１０５は、基地局１８０ａ、１８０ｂ、１８０ｃ、およびＡＳＮゲートウェイ１８２を含むことができるが、ＲＡＮ１０５は、実施形態との整合性を保持しながら、任意の数の基地局およびＡＳＮゲートウェイを含むことができるということが理解されるであろう。基地局１８０ａ、１８０ｂ、１８０ｃはそれぞれ、ＲＡＮ１０５内の特定のセル（図示せず）に関連付けられることが可能であり、エアインターフェース１１７を介してＷＴＲＵ１０２ａ、１０２ｂ、１０２ｃと通信するために１または複数のトランシーバをそれぞれ含むことができる。一実施形態においては、基地局１８０ａ、１８０ｂ、１８０ｃは、ＭＩＭＯテクノロジーを実行することができる。したがって基地局１８０ａは、たとえば、ＷＴＲＵ１０２ａにワイヤレス信号を送信するために、およびＷＴＲＵ１０２ａからワイヤレス信号を受信するために、複数のアンテナを使用することができる。基地局１８０ａ、１８０ｂ、１８０ｃは、モビリティー管理機能、たとえば、ハンドオフトリガリング、トンネル確立、無線リソース管理、トラフィック分類、サービス品質（ＱｏＳ）ポリシー実施などを提供することもできる。ＡＳＮゲートウェイ１８２は、トラフィック集約ポイントとして機能することができ、ページング、サブスクライバープロファイルのキャッシング、コアネットワーク１０９へのルーティングなどを担当することができる。
【００７２】
ＷＴＲＵ１０２ａ、１０２ｂ、１０２ｃと、ＲＡＮ１０５との間におけるエアインターフェース１１７は、ＩＥＥＥ８０２．１６仕様を実行するＲ１リファレンスポイントとして定義可能である。加えて、ＷＴＲＵ１０２ａ、１０２ｂ、１０２ｃのそれぞれは、コアネットワーク１０９との論理インターフェース（図示せず）を確立することができる。ＷＴＲＵ１０２ａ、１０２ｂ、１０２ｃと、コアネットワーク１０９との間における論理インターフェースは、Ｒ２リファレンスポイントとして定義されることが可能であり、このＲ２リファレンスポイントは、認証、許可、ＩＰホスト構成管理、および／またはモビリティー管理のために使用可能である。
【００７３】
基地局１８０ａ、１８０ｂ、１８０ｃのそれぞれの間における通信リンクは、ＷＴＲＵハンドオーバ、および基地局どうしの間におけるデータの転送を容易にするためのプロトコルを含むＲ８リファレンスポイントとして定義可能である。基地局１８０ａ、１８０ｂ、１８０ｃと、ＡＳＮゲートウェイ１８２との間における通信リンクは、Ｒ６リファレンスポイントとして定義可能である。このＲ６リファレンスポイントは、ＷＴＲＵ１０２ａ、１０２ｂ、１０２ｃのそれぞれに関連付けられているモビリティーイベントに基づいてモビリティー管理を容易にするためのプロトコルを含むことができる。
【００７４】
図１Ｅにおいて示されているように、ＲＡＮ１０５は、コアネットワーク１０９に接続可能である。ＲＡＮ１０５と、コアネットワーク１０９との間における通信リンクは、たとえば、データ転送およびモビリティー管理機能を容易にするためのプロトコルを含むＲ３リファレンスポイントとして定義可能である。コアネットワーク１０９は、モバイルＩＰホームエージェント（ＭＩＰ−ＨＡ）１８４、認証／許可／アカウンティング（ＡＡＡ）サーバ１８６、およびゲートウェイ１８８を含むことができる。上述の要素のうちのそれぞれは、コアネットワーク１０９の一部として示されているが、これらの要素のうちのいずれかの要素が、コアネットワークオペレータ以外のエンティティーによって所有および／または運営されることも可能であるということが理解されるであろう。
【００７５】
ＭＩＰ−ＨＡは、ＩＰアドレス管理を担当することができ、ＷＴＲＵ１０２ａ、１０２ｂ、１０２ｃが、別々のＡＳＮおよび／または別々のコアネットワークの間においてローミングすることを可能にすることができる。ＭＩＰ−ＨＡ１８４は、ＷＴＲＵ１０２ａ、１０２ｂ、１０２ｃと、ＩＰ対応デバイスとの間における通信を容易にするために、インターネット１１０などのパケット交換ネットワークへのアクセスをＷＴＲＵ１０２ａ、１０２ｂ、１０２ｃに提供することができる。ＡＡＡサーバ１８６は、ユーザ認証と、ユーザサービスをサポートすることとを担当することができる。ゲートウェイ１８８は、その他のネットワークと相互作用することを容易にすることができる。たとえば、ゲートウェイ１８８は、ＷＴＲＵ１０２ａ、１０２ｂ、１０２ｃと、従来の地上通信線通信デバイスとの間における通信を容易にするために、ＰＳＴＮ１０８などの回線交換ネットワークへのアクセスをＷＴＲＵ１０２ａ、１０２ｂ、１０２ｃに提供することができる。加えて、ゲートウェイ１８８は、ネットワーク１１２へのアクセスをＷＴＲＵ１０２ａ、１０２ｂ、１０２ｃに提供することができ、ネットワーク１１２は、その他のサービスプロバイダによって所有および／または運営されているその他の有線ネットワークまたはワイヤレスネットワークを含むことができる。
【００７６】
図１Ｅにおいては示されていないが、ＲＡＮ１０５は、その他のＡＳＮに接続されることが可能であり、コアネットワーク１０９は、その他のコアネットワークに接続可能であるということが理解されるであろう。ＲＡＮ１０５と、その他のＡＳＮとの間における通信リンクは、Ｒ４リファレンスポイントとして定義されることが可能であり、このＲ４リファレンスポイントは、ＲＡＮ１０５と、その他のＡＳＮとの間においてＷＴＲＵ１０２ａ、１０２ｂ、１０２ｃのモビリティーをコーディネートするためのプロトコルを含むことができる。コアネットワーク１０９と、その他のコアネットワークとの間における通信リンクは、Ｒ５リファレンスとして定義されることが可能であり、このＲ５リファレンスは、ホームコアネットワークと、訪問先コアネットワークとの間における相互作用を容易にするためのプロトコルを含むことができる。
【００７７】
図２は、共有スペクトルへのアクセスのための３層階層システムを示している。その共有スペクトルは、たとえば、フェデラルスペクトルであることが可能である。図２において示されているように、この３層システムは、２０２におけるプライマリーアクセスと、２０４におけるセカンダリーアクセスと、２０６における一般許可アクセスとを含むことができる。２０２におけるプライマリーアクセスは、保証されたアクセスをＷＴＲＵに提供することができる。このプライマリーアクセスは、インカンベントであることが可能である。インカンベントとは、所与のスペクトルにおけるプライマリーユーザを指すことができる。たとえば、ＴＶＷＳスペクトルにおいては、ＤＴＣまたはマイクロフォンが、そのスペクトルのインカンベントであることが可能である。別の例として、３．５ＧＨｚスペクトルなどのフェデラル共有スペクトルにおいては、インカンベントは、レーダであることが可能である。２０２におけるプライマリーアクセスは、インカンベントによってスペクトルが使用されていないと言える場合、または必要とされていないと言える場合には、セカンダリーアクセスおよび／または一般許可アクセスによるスペクトル使用を排除しないことが可能である。たとえば、アクセスユーザが共有スペクトルへのプライマリーアクセスを要求し、そのプライマリーアクセスが必要とされていないと言える場合には、そのアクセスユーザは、そのプライマリーアクセスからのスペクトルを提供可能である。
【００７８】
２０４において、セカンダリーアクセスは、アクセスユーザがそのセカンダリーアクセスを使用できるようになる前に、そのアクセスユーザがデータベースに登録することを要求することができる。これは、たとえば、セカンダリーアクセスを使用することができるアクセスユーザを追跡把握し、それによって、それらのユーザが管理されること、およびまたはその他のスペクトルセグメントへ移動されることが可能になるように、行われることが可能である。２０４におけるセカンダリーアクセスは、ハイパワーであることが可能であり、スペクトル使用のための料金を課金することができ、公的使用を可能にすることができる。２０６において、一般許可アクセスは、ローパワーであることが可能であり、アクセスユーザを感知してアクセス可用性を決定することができ、データベースを使用してアクセス可用性を決定することができ、スペクトルを使用するための料金を課金しないことまたは支払わないことが可能である。
【００７９】
共有スペクトルマネージャー（ＳＳＭ）が提供可能である。共有スペクトルマネージャーは、一連の帯域またはセグメントにわたってスペクトルを管理することができる。セグメントは、帯域の管理された部分であることが可能である。セグメントの管理は、スペクトルポリシーまたはルールの対象となることが可能である。ＳＳＭは、さまざまなアクセスユーザ（ＡＵ）システムにインターフェース接続すること、アクセスユーザから情報を収集すること、アクセスユーザに関する情報を格納することなどが可能である。アクセスユーザから収集される情報は、スペクトル使用、オペレーション情報などを含むことができる。ＳＳＭは、セグメントに割り振られたアクセスユーザの使用を監視することができ、セグメントに関する情報を編成することができ、この情報を利用して、特定の測定に基づいてスペクトル使用を最大化することができ、予約されたスペクトルをアクセスユーザに割り振ることができる、といった具合である。ＳＳＭは、セグメントに関する使用価格設定を発表すること、セグメントに関する許可できるアクセスユーザタイプ（たとえば、ＰＡＵ、ＳＡＵ、およびＧＡＵ）を発表すること、セグメントに関して適用可能である使用ルールを発表することなどが可能である。ＳＳＭは、共有されたフレームワークのもとで複数の共有スペクトル帯域を管理することができる。これは、たとえば、ＳＳＭとアクセスユーザとの間において使用可能である共有された通信インターフェースを使用して行われることが可能である。
【００８０】
ＳＳＭは、１つの機能エンティティー内に存在することが可能であり、または複数の接続されている機能エンティティー内に存在することも可能である。これらのエンティティーは、スペクトルセグメントをアクセスユーザに割り当てることを担当することができる。割り当ては、たとえば、交渉された合意に基づいて、パフォーマンスおよび測定に関するアクセスユーザからの報告に基づいて、といった具合に行われることが可能である。交渉は、価格設定（たとえば、アクセスユーザがいくら支払うことができるか）、能力問題（たとえば、アクセスユーザが、割り振られておくことが可能であるセグメントを使用できることが可能であるかどうかを決定すること）、別々のアクセスユーザタイプの間における優先度（たとえば、ＰＡＵは、ＳＡＵよりも高い優先度を有することができ、ＧＡＵおよびＳＡＵは、ＳＡＵよりも高い優先度を有することができる）などを取り扱うことができる。
【００８１】
スペクトル割り振りおよび選択などの機能は、ＳＳＭとアクセスユーザとの間において分配可能である。たとえば、要求に応じて、ＳＳＭは、ロケーションに関するアクセスユーザタイプに基づいてスペクトル可用性を発表することができる。本明細書において記載されているように、可用性情報は、価格設定情報で補完可能である。可用性情報は、スペクトルが利用可能であることができるエリアサイズ、および発表された条件のもとでスペクトルが利用可能であることができるピリオドを含むこともできる。エリアサイズは、ユーザロケーションに基づくことが可能である。アクセスユーザは、自分のＱｏＯ需要を満たすために１または複数のセグメントを選択することができる。アクセスユーザは、たとえば、セグメントの価格、これらのセグメント内で機能するためのユーザのネットワーク能力などに基づいて、１または複数のセグメントを選択することができる。次いで選択情報は、報告可能である。ＳＳＭの何らかの機能は、分配可能である。たとえば、アクセスユーザの集合から生じることが可能であるスペクトル要求は、自己編成ネットワーク（ＳＯＮ）プロセッサによって取り扱われることが可能である。ＳＯＮプロセッサは、要求のサブセット、または要求の集約を１または複数のスペクトルブローカーへ中継すること、および／または処理することが可能である。別の例として、集中型の無線リソースマネージャーが、エリア内のアクセスユーザの集合のためにスペクトルを管理することができる。集中型の無線リソースマネージャーは、要求のサブセット、または要求の集約を１または複数のスペクトルブローカーへ中継すること、および／または処理することが可能である。
【００８２】
アクセスユーザ通信インターフェースが、ＳＳＭとともに使用するために提供可能である。ＳＳＭシステムは、さまざまなアクセスユーザから情報を収集することができ、それらのアクセスユーザに情報を提供することができる。たとえば、情報を交換するためにアクセスユーザとＳＳＭとの間において通信プロトコルが使用可能である。
【００８３】
ＰＡＵは、セグメントまたはセグメントのサブセットがエリア内での共有用に利用可能になる可能性があるということをＳＳＭに知らせることができる。これは、たとえば、それがセグメントまたはセグメントのサブセットを使用しない可能性があるということを決定するために行われることが可能である。これは、共有スペクトルがその後にどのように使用される可能性があるかに基づくことが可能であるＰＡＵのためのインセンティブまたは利益をトリガーすることができる。
【００８４】
アクセスユーザは、ＳＳＭを登録することができ、予測されたスペクトル使用、ロケーションエリア、既知の識別情報、能力などを提供することができる。アクセスユーザは、セグメント、セグメントのサブセットに関する、または特定のロケーションに関するスペクトル要求をＳＳＭに送信することができる。スペクトル要求は、セグメントに関するＱｏＯ、保証されたＱｏＯ、および／または最高ＱｏＯを含むことができる。スペクトル要求は、スペクトルに関する予測された使用についての情報、たとえば、テクノロジー、送信パワー、予測されたモビリティー行動、能力、共存スキーム、特徴検知スキームなどを含むことができる。アクセスユーザは、セグメントおよびロケーションに関する使用測定およびパフォーマンス測定を報告することができる。
【００８５】
ＳＳＭは、スペクトル要求を受け入れること、使用情報を提供すること、その要求を拒否すること、価格設定を含むことができる条件の改訂された文言に基づくことが可能であるスペクトル割り当てを提案することなどによって、その要求に応答することができる。ＳＳＭは、セグメントが共有用に利用可能である可能性があるということを知らせることまたは発表することが可能であり、スペクトルがいつどのようにして戻可能であるかに関する詳細を提供することができる。ＳＳＭは、スペクトルまたはセグメントがどのように使用可能であるかをガイドすることができるポリシーを提供することができる。ＳＳＭは、セグメントに関する情報、たとえば、サポートされる保証されたＱｏＯ、サポートされる最高ＱｏＯなどを提供することができる。ＳＳＭは、明け渡しメッセージをアクセスユーザに送信することができる。これは、たとえば、スペクトルセグメントへのＰＡＵの到来時に発生する可能性がある。ＳＳＭは、チャネル再編成メッセージをアクセスユーザに送信することができる。これは、たとえば、スペクトルを再編成および／または再割り当てするために行われることが可能である。
【００８６】
ＳＳＭは、スペクトルを編成することができる。たとえば、ＳＳＡシステムの共有スペクトルマネージャー（ＳＳＭ）は、スペクトルセグメントをカテゴリー、たとえば、カテゴリーＡ、カテゴリーＢ、カテゴリーＣなどへと編成することができる。
【００８７】
カテゴリーＡセグメントは、ＰＡＵを搬送することができるスペクトルセグメント用に予約可能である。ＰＡＵは、自分が自分のスペクトルを時間および／またはロケーションにおいて共有する可能性があるということをＳＳＭに通知しておくことができる。ＰＡＵは、任意の所与の時間においてオペレーションを開始することができ、ＳＡＵおよび／またはＧＡＡＵがそのセグメントを明け渡すことができると予想することができる。ＰＡＵは、使用可能である明け渡しのタイプをＳＳＭに知らせることもできる。
【００８８】
さまざまなタイプの明け渡しが使用可能である。たとえば、緊急の明け渡しが要求可能である。緊急の明け渡しは、ＰＡＵなどのアクセスユーザが、自分の割り当てられたセグメントの遅延なき明け渡しを要求することができる場合であると言える。緊急の明け渡しにおいては、ＳＳＭは、ＳＡＵおよびＧＡＡＵをその他のセグメントへ移動することができる。別の例として、緊急ではない明け渡しが要求可能である。緊急ではない明け渡しは、ＳＳＭがＳＡＵおよびＧＡＡＵをその他のセグメントへ移動することを、そうすることが適切であると言えるときに行うようアクセスユーザが要求することができる場合であると言える。たとえば、ＳＳＭは、遅延の後にＳＡＵおよびＧＡＡＵを移動することができる。別の例として、限定された共存が要求可能である。限定された共存は、ＳＡＵまたはＧＡＡＵがセグメント上でＰＡＵと共存することを可能にすることができる。
【００８９】
カテゴリーＡに分類されることが不可能であるスペクトルセグメントは、カテゴリーＢおよびカテゴリーＣ用に利用可能とすることができる。たとえば、所与のロケーションにおいて使用されることが不可能である、所与の時間にわたって使用されることが不可能である、またはプライマリーアクセスユーザによって所有されることが不可能であるＰＡＵに属することが可能であるスペクトルセグメント（ＩＳＭ帯域およびＴＶＷＳ帯域等）などは、カテゴリーＢセグメントまたはカテゴリーＣセグメントとして分類可能である。カテゴリーＢスペクトルは、セカンダリーアクセスユーザ（ＳＡＵ）および／または一般許可アクセスユーザ（ＧＡＡＵ）によって使用されることが可能であり、その一方でカテゴリーＣセグメントは、（ＧＡＡＵ）用に予約可能である。
【００９０】
スペクトルセグメントのカテゴリーは、ロケーションの機能であることが可能である。例としてＴＶＷＳを使用すると、チャネル＃ｘは、チャネル＃ｘ上でＤＴＶ放送局が機能している第１のロケーションにおいては、カテゴリーＡであることが可能であり、その一方で、同じチャネル＃ｘは、ＤＴＶ局が機能することができない第２のロケーションにおいては、カテゴリーＢであることが可能である。
【００９１】
ＳＳＭは、ＳＳＭメカニズム用のカテゴリーＣ使用のためにスペクトルの一部を予約することができる。カテゴリーＡ用であることが不可能であるスペクトルは、パーセンテージ分割に従ってカテゴリーＢとＣとの間において分割可能である。カテゴリーＢとカテゴリーＣとの間における残りのスペクトルのパーセンテージ分割は、動的であることが可能であり、特定の測定に基づいてスペクトルユーティリティーを最適化するためにＳＳＭによって決定可能である。
【００９２】
アクセスユーザは、いくつかのカテゴリーにおいて許可可能であるが、その他のカテゴリーにおいては許可されないことが可能である。たとえば、カテゴリーＡに関しては、スペクトルセグメントは、ＰＡＵ、ＳＡＵ、およびＧＡＡＵによって使用可能である。カテゴリーＢに関しては、スペクトルセグメントは、アクティブなＰＡＵを有さないことが可能であるが、ＳＡＵおよびＧＡＡＵによって使用可能である。カテゴリーＣに関しては、スペクトルセグメントは、アクティブなＰＡＵまたは割り振られたＳＡＵを有さないことが可能である。なぜなら、それらのスペクトルセグメントは、ＧＡＡＵによる使用のために予約可能であるためである。
【００９３】
複数のカテゴリーＢスペクトルセグメントが、別々の優先度、たとえば、Ｂ１、Ｂ２、Ｂ３などを割り振られることが可能である。より高い優先度のＳＡＵは、より高い優先度を伴うカテゴリースペクトルを使用することができる。たとえば、より高い優先度のＳＡＵは、カテゴリーＢ１セグメントを割り振られることが可能であり、その一方で、より低い優先度のＳＡＵは、カテゴリーＢ２セグメントを割り振られることが可能である。
【００９４】
ＳＳＭは、スペクトルセグメントに関するステータス情報を保持することができる。そのステータス情報は、スペクトルステータスマップと呼ばれる場合がある。スペクトルステータスマップは、ＰＡＵ情報、たとえば、オペレーションの時間、オペレーションのロケーション、明け渡しタイプ、送信されたパワー、テクノロジータイプなどを含むことができる。たとえば、スペクトルステータスマップは、カテゴリーＡに関するＰＡＵ情報を含むことができる。スペクトルステータスマップは、ＳＡＵ情報、たとえば、優先度、テクノロジータイプ、送信されたパワー、ＱｏＯ情報（たとえば、ＳＡＵによって報告可能である交渉されたＱｏＯおよび監視されたＱｏＯ）、連絡先情報（たとえば、明け渡しのケースにおいてＳＡＵが連絡可能である場所）、その他のＳＡＵとの共有メカニズムなどを含むことができる。共有メカニズムは、たとえば、ＣＳＭＡ、ＴＤＭベース（ギャップ）、ＦＤＭベース（サブキャリア）、なし、などであることが可能である。ＳＡＵ情報は、カテゴリーＡおよびＢセグメント用であることが可能である。スペクトルステータスマップは、ＧＡＡＵ情報、たとえば、優先度、テクノロジータイプ、送信されたパワー、ＱｏＯ情報（たとえば、ＧＡＡＵによって報告可能である交渉されたＱｏＯおよび監視されたＱｏＯ）、連絡先情報（たとえば、明け渡しのケースにおいてＳＡＵが連絡可能である場所）、その他のＳＡＵとの共有メカニズム（たとえば、ＣＳＭＡ、ＴＤＭベース、ＦＤＭベース、なし等）などを含むことができる。ＧＡＡＵ情報は、カテゴリーＡ、Ｂ、またはＣセグメント用であることが可能である。スペクトルステータスマップは、このスペクトルセグメントにおける現在の割り振りの有効性に関する情報、たとえば、割り振りが有効であることが可能であるロケーション、有効性の時間などを含むことができる。
【００９５】
アクセスユーザ管理制御が提供可能である。ＳＳＭは、スペクトルステータスマップを使用して、スペクトルをアクセスユーザに割り当てることができる。
【００９６】
アクセスユーザ（ネットワーク、システム、またはオペレータ）が、帯域幅を要求するためのメッセージをＳＳＭに送信することができる。そのメッセージは、帯域幅において展開可能であるテクノロジータイプ、たとえば、ＬＴＥ、Ｗｉ−Ｆｉなどを含むことができる。そのメッセージは、ＡＵ能力インジケータ、ＱｏＯレンジなどを含むことができる。ＱｏＯレンジは、保証されたＱｏＯおよび／または最高ＱｏＯを含むことができる。保証されたＱｏＯは、排他性を伴ってロケーションエリアのために使用可能スペクトルの量を含むことができる。排他的な使用は、時間に関するもの、スペクトルのサブセット、またはコードに関するものなどであることが可能である。たとえば、保証されたＱｏＯは、時間における３０％の保証された排他性を伴う２０ＭＨｚであることが可能である。最高ＱｏＯは、ロケーションエリアに関するスペクトルの量の上限使用を含むことができる。アクセスユーザによってＳＳＭに送信されるメッセージは、オペレーションの時間に関する好ましいレンジ、優先度、および／またはサポートされる共有メカニズムを含むことができる。そのメッセージは、ユーザのロケーション、レンジ、帯域内および帯域外パワーを含むことができる送信パワー特徴などを含むことができる。
【００９７】
ＳＳＭは、互換性のあるテクノロジーどうしのユーザが共存することが可能である、および既に占有している可能性がある帯域幅にユーザを割り当てるために、テクノロジータイプ、および送信パワー特徴に関する情報を使用することができる。
【００９８】
ユーザは、保証されたＱｏＯなどのＱｏＯを伴って機能できることが可能であり、最高ＱｏＯまで機能できることが可能である。保証されたＱｏＯは、たとえば、公的安全ユーザなどのセカンダリーユーザのためのセーフガードとして使用可能である。ＳＳＭおよびユーザは、その他のユーザの保証されたＱｏＯを確実にするために連携することができる。ＳＳＭおよびユーザは、本明細書において記載されている帯域幅管理のためにＱｏＯレンジを使用することもできる。
【００９９】
ＳＡＵまたはＧＡＡＵなどのユーザの最高ＱｏＯは、スペクトル利用を最適化するためにＳＳＭによって使用可能である。たとえば、ユーザ（たとえばＳＡＵ）からのスペクトル要求にサービス提供するために、ＳＳＭは、既存のユーザの最高ＱｏＯを低減することができ、それらのユーザの保証されたＱｏＯを引き続き確実にすることができる。
【０１００】
ユーザまたはオペレータは、ＳＡＵまたはＧＡＡＵのいずれかとしてアドミッション制御を実行することができる。ＧＡＡＵのケースにおいては、ユーザは、ＱｏＯレンジを要求しないことが可能であり、そのケースにおいては、ＧＡＡＵは、チャネルのベストエフォート使用を与えられることが可能である。
【０１０１】
ユーザまたはオペレータは、別々のカテゴリーにおける帯域幅セグメントどうしを要求することができる。たとえば、オペレータは、ＳＡＵとして機能することができるいくつかのスモールセルまたはネットワークの部分を有することができ、その一方で、その他のスモールセルまたはネットワークの部分は、ＧＡＡＵとして機能することができる。別の例として、スモールセルは、何らかのスペクトルを、保証されたＱｏＯと集約することができ、ベストエフォートであることが可能である、および厳格なＱｏＯ要求を有しないことが可能である何らかのさらなるＱｏＯを集約することができる。ユーザは、２つのタイプのセグメントを要求することができ、それらのセグメントのために量の帯域幅を要求することができる。
【０１０２】
ＳＳＭ起動型のチャネル割り振りが提供可能である。共有スペクトルマネージャー（ＳＳＭ）は、時間にわたるＱｏＯレンジを伴って帯域幅をユーザに割り当てることができる。ＳＳＭは、別々の時間またはイベントにおいてチャネル割り当てを再編成することができる。たとえば、ＳＳＭは、チャネル割り当てを、ユーザ全体にわたって定期的に、ユーザに対して彼らの割り当て時間に従って不定期に、システムイベントの発生に起因して不定期に、といった具合に再編成することができる。システムイベントは、スペクトルセグメントにおけるチャネル上の混雑であるかもしれないし、ＳＡＵが帯域幅の使用を解放する場合であるかもしれない、といった具合である。システムイベントは、既に機能していた可能性があるＳＡＵがあるスペクトルセグメントにおけるチャネル上で機能し始めた可能性があるＰＡＵの場合であるかもしれない。これは、たとえば、チャネルを明け渡すこと、および帯域幅割り当てを要求することをＳＡＵに行わせる可能性がある。
【０１０３】
ＳＳＡチャネル再編成は、複数のアクションを含むことができる。たとえば、ＳＳＡチャネル再編成は、スペクトルセグメントＡまたはＢ内に存在することが可能である利用可能な帯域幅など、別の利用可能な帯域幅にユーザを再割り振りすることを含むことができる。これは、たとえば、ユーザのためのＱｏＯを確実にするために行われることが可能である。ＳＳＡチャネル再編成は、ユーザに、帯域幅が比較的混雑していないと言える場合には自分の最高ＱｏＯレベルを増大するよう要求することを含むことができる。ＳＳＡチャネル再編成は、混雑がないと言える場合でさえ帯域幅使用を最適化することを含むことができる。たとえば、ＳＳＭは、帯域幅を明け渡して、別のユーザ（または複数のユーザ）に割り当てられることが可能である帯域幅上で機能し始めるようユーザ（または複数のユーザ）に要求することができる。ＳＳＡは、セグメントを利用可能にすることができる。ＳＳＡチャネル再編成は、ユーザに、自分のユーザタイプ（ＳＡＵまたはＧＡＡＵ）を変更するよう要求することを含むことができる。
【０１０４】
ＳＳＡチャネル再編成は、最高ＱｏＯレベルを下げる一方でそれをＱｏＯよりも上に保持するようユーザに要求することを含むことができる。これは、第２のユーザが帯域幅を要求して、ＳＳＭが、第１のユーザによって既に使用されている可能性がある帯域幅を割り当てる場合など、複数のシナリオにおいて発生する可能性がある。たとえば、ＳＳＭは、第２のユーザが機能することを可能にするために最高ＱｏＯを下げるよう第１のユーザに要求するメッセージを第１のユーザに送信することができる。
【０１０５】
ユーザは、別のユーザが、保証可能であるＱｏＯ上で機能することを混雑が制限している場合には、最高ＱｏＯレベルを下げる一方でそれをＱｏＯよりも上に保持するよう要求される場合がある。たとえば、ＳＳＭは、ユーザに、自分の最高ＱｏＯを下げて、それによって、その他のユーザたちが自分たちの保証されたＱｏＯで機能できることを可能にするよう指示するメッセージをユーザに送信することができる。
【０１０６】
アクセスユーザ起動型のチャネルまたはスペクトル再割り振りが提供可能である。層２ＡＵなどのＡＵは、保証されたＱｏＡなどのＱｏＡを上回って機能するように時間にわたってチャネルまたはスペクトルを割り振られることが可能である。スペクトルは、複数のチャネルを含むことができる。ＡＵは、使用している可能性がある割り振られたチャネル上での自分のオペレーションの品質を監視することができる。ＡＵは、今後使用される可能性があるバックグラウンドにおけるその他のチャネルを監視することもできる。ＡＵは、チャネルモニタリングからの測定結果をＳＳＭに送信することができる。そのＡＵのロケーションの付近のチャネルを別のＡＵが使用することができる場合には、そのＡＵは、自分のＱｏＯの劣化を経験する可能性があり、その劣化は、そのＡＵのためのＱｏＡを下回る可能性がある。そのＡＵは、自分のＱｏＡの劣化に関してＳＳＭに知らせることおよび／またはアラートすることが可能である。たとえば、そのＡＵは、ＱｏＡイベントメッセージをＳＳＭに送信することができる。そのＡＵは、影響されるチャネルを置換するための新たなチャネル再割り振りを要求することができる。その要求は、使用可能である１または複数のチャネルを示すことができ、それらのチャネルは、バックグラウンドにおいて監視されておくことが可能であるチャネルであることが可能である。
【０１０７】
図３は、アクセス品質（ＱｏＡ）イベントが発生した場合にスペクトルを再割り当てするための手順の例を示している。３０２において、ＡＵが、スペクトル割り当てを要求することができる。そのスペクトルは、複数の層に分類可能である共有スペクトルであることが可能である。ＡＵは、スペクトルの割り当てが共有スペクトルの層から生じることを要求することができる。ＡＵは、割り当てられることになるスペクトルが、ＱｏＯ、ＱｏＡ、保証されたＱｏＯ、保証されたＱｏＡなどに適合することを要求することができる。ＡＵは、割り当てられることになるスペクトルが、３．５ＧＨｚなどの周波数帯域内にあること、Ｗｉ−Ｆｉなどのテクノロジータイプの範囲内にあること、信号対雑音比内にあること、スペクトルを使用するための時間のパーセンテージであること、それらの組合せであることなどを要求することができる。たとえば、ＡＵは、自分が時間の５０％にわたってスペクトルを使用することを可能にすることができる割り当てを要求することができる。
【０１０８】
３０４において、ＡＵは、スペクトル割り当てを受信することができる。そのスペクトル割り当ては、共有スペクトルからのスペクトルを含むことができる。割り当てられることが可能であるスペクトルは、層、または複数の層に関するものであることが可能である。割り当てられることが可能であるスペクトルは、要求された層に関するものであることが可能である。たとえば、ＡＵは、共有スペクトルの層２からのスペクトルを要求しておくことが可能であり、割り当てられるスペクトルは、共有スペクトルの層２からのものであることが可能である。割り当てられることが可能であるスペクトルは、要求された層に関するものではないことが可能である。たとえば、ＡＵは、共有スペクトルの層２からのスペクトルを要求しておくことが可能であり、割り当てられるスペクトルは、共有スペクトルの層１からのものであることが可能である。別の例として、ＡＵは、共有スペクトルの層２からのスペクトルを要求しておくことが可能であり、割り当てられるスペクトルは、共有スペクトルの層２および層３からのものであることが可能である。
【０１０９】
割り当てられることが可能であるスペクトルは、ＱｏＡに適合することができ、そのＱｏＡは、ＡＵによって要求されたＱｏＡであることが可能である。ＡＵは、割り当てられることになるスペクトルがＱｏＡに適合することができることを要求することができ、割り当てられるスペクトルは、要求されたＱｏＡに適合しないことが可能である。たとえば、割り当てられるスペクトルに関するＱｏＡは、より良好なまたはより多くのスペクトルをＳＳＭが提供できることが可能である場合には、要求されたＱｏＡよりも高いことが可能である。別の例として、割り当てられるスペクトルに関するＱｏＡは、要求されたＱｏＡに適合することができるスペクトルをＳＳＭが提供できることが不可能である場合には、要求されたＱｏＡよりも低いことが可能である。これは、たとえば、ＳＳＭがスペクトルを有することができず、ＡＵによって要求されたその他のスペクトル特徴にマッチすることができるスペクトルを見つけ出すことを試みることができる場合に、行われることが可能である。
【０１１０】
割り当てられることが可能であるスペクトルは、ＡＵによって要求された周波数レンジ内にあることが可能である。たとえば、ＡＵは、５０Ｍｈｚ幅の帯域幅またはスペクトルセグメントを要求することができ、ＳＳＭは、５０Ｍｈｚレンジ内でスペクトルを割り当てることができる。ＡＵは、スペクトルが周波数レンジ内で割り当てられることを要求することができ、ＳＳＭによって割り当てられるスペクトルは、要求された周波数レンジよりも大きいことが可能である。たとえば、ＡＵは、５０Ｍｈｚレンジを要求することができ、ＳＳＭは、ＡＵに１００ＭＨｚレンジを提供することができ、そこからＡＵは、割り当てられることになる５０ＭＨｚレンジを選択することができる。次いでＳＳＭは、１００ＭＨｚレンジからＡＵが選択した５０ＭＨｚレンジをＡＵに割り当てることができる。ＡＵは、割り当てられることになるスペクトルが周波数レンジ内にあることを要求することができ、ＳＳＭによって割り当てられるスペクトルは、要求された周波数レンジよりも小さいことが可能である。たとえば、ＡＵは、５０ＭＨｚレンジを要求することができ、ＳＳＭは、２５ＭＨｚレンジ内でスペクトルを割り当てることができる。これは、たとえば、ＳＳＭが、要求された周波数レンジ内でスペクトルを有することができず、ＡＵによって要求可能であるその他のスペクトル特徴にマッチすることができるスペクトルを見つけ出すことを試みることができる場合に、行われることが可能である。
【０１１１】
割り当てられることが可能であるスペクトルは、テクノロジータイプのものであることが可能であり、そのテクノロジータイプは、ＡＵによって要求されたテクノロジータイプであることが可能である。たとえば、ＡＵは、割り当てられることになるスペクトルがＬＴＥスペクトルであることが可能であることを要求することができ、ＳＳＭは、ＬＴＥスペクトルをＡＵに割り当てることができる。ＡＵは、割り当てられることになるスペクトルがテクノロジータイプのものであることが可能であることを要求することができ、割り当てられるスペクトルは、異なるテクノロジータイプのものであることが可能である。たとえば、ＡＵは、割り当てられることになるスペクトルがＨＳＰＡ＋スペクトルであることが可能であることを要求することができ、ＳＳＭは、Ｗｉ−ＦｉスペクトルをＡＵに割り当てることができる。これは、たとえば、ＳＳＭが、ＡＵによって要求可能であるその他のスペクトル特徴にマッチすることができるスペクトルを見つけ出すことを試みることができるスペクトルを有することができない場合に、行われることが可能である。
【０１１２】
３０６において、ＡＵは、割り当てられたスペクトルおよび／または割り当てられていないスペクトルを監視することができる。ＡＵは、割り当てられたスペクトルを使用することができる。ＡＵは、割り当てられたスペクトルを監視することができ、たとえば、ＡＵは、割り当てられたスペクトル上でまたはＱｏＡを上回って機能することができる。ＡＵは、割り当てられていないスペクトルを監視して、たとえば、その割り当てられていないスペクトルのＱｏＯを決定することができる。ＡＵは、割り当てられたスペクトル、割り当てられていないスペクトル、またはそれらの組合せからの測定をＳＳＭに送信することができる。
【０１１３】
ＡＵは、割り当てられたスペクトル上での使用品質の劣化を検知することができる。たとえば、ＡＵは、割り当てられたスペクトルに関するＱｏＯの劣化を検知することができる。ＡＵは、ＱｏＯの劣化が、割り当てられたスペクトルに関するＱｏＡを下回っている、またはそのＱｏＡに近づいていると言えることを決定することができる。
【０１１４】
３０８において、ＡＵは、ＱｏＡイベントをＳＳＭに送信することができる。そのＱｏＡイベントは、使用品質の劣化をＡＵが検知したと言える旨をＳＳＭに通知することができるメッセージであることが可能である。たとえば、そのＱｏＡイベントは、割り当てられたスペクトルに関するＯｏＯが、割り当てられたスペクトルに関するＱｏＡを下回っている、またはそのＱｏＡに近づいていると言えることを示すことができる。ＡＵは、スペクトルの置換および／または再割り当てを要求することができる。これは、たとえば、ＱｏＡに適合することができるスペクトルをＡＵが受信することができるように、割り当てられたスペクトルが置換されることを可能にするために、行われることが可能である。
【０１１５】
３１０において、ＡＵは、再割り当てされたスペクトルおよび／または置換スペクトルを受信することができる。ＳＳＭは、再割り当てスペクトルおよび／または置換スペクトルを求める要求を受信することができる。ＳＳＭは、ＡＵによって要求されたＱｏＡに適合することができる、割り当てられていないスペクトルを決定することができる。割り当てられていないスペクトルは、割り当てられたスペクトルを補完することができる。たとえば、ＳＳＭは、ＡＵによって使用可能であるさらなるスペクトルを、割り当てられたスペクトルとともにＡＵに提供することができ、それによってＡＵは、ＱｏＡでまたはＱｏＡを上回って機能できることが可能になる。割り当てられていないスペクトルは、割り当てられたスペクトルを置換することができる。たとえば、ＳＳＭは、割り当てられたスペクトルを置換することができる置換スペクトルをＡＵに提供することができ、それによってＡＵは、その置換スペクトル上でＱｏＡでまたはＱｏＡを上回って機能できることが可能になる。ＳＳＭは、スペクトルを再割り当てすることができる。たとえば、ＳＳＭは、スペクトルがその他のＡＵから取られることが可能であり、再割り当てスペクトルおよび／または置換スペクトルを要求したＡＵに提供可能であるということを決定することができる。
【０１１６】
図４は、ＱｏＡが発生した場合にスペクトルを再割り当てするための手順の別の例を示している。スペクトルを再割り当てするための手順は、たとえば、ＡＵによって起動可能である。ＡＵは、自分のＱｏＡの劣化を経験していると言える場合には、チャネル再割り振り手順を使用することができる。たとえば、図４において示されているように、ＡＵは、船舶搭載レーダが近づいている場合に自分のＱｏＡの劣化を経験する可能性がある。図４においてはレーダが示されているが、任意のインカンベントまたはその他の予想されていないユーザが、ＱｏＡ劣化をもたらす場合がある。
【０１１７】
４１８において、ＡＵ４１０が、ＳＳＭ４１２に登録することができる。これは、たとえば、そのＳＳＭがＡＵ４１０を識別してＡＵ４１０と通信できることが可能になるように、行われることが可能である。ＡＵ４１０は、層２ユーザであることが可能である。４２０において、ＡＵ４１０は、スペクトル要求をＳＳＭ４１２に送信することができる。ＳＳＭ４１２は、ＡＵ４１０によって使用可能である割り当てられていないスペクトルを決定することができる。割り当てられていないスペクトルは、レーダ４０２によって使用可能スペクトルを含むことができる。
【０１１８】
４２２において、ＳＳＭ４１２は、スペクトル割り当てメッセージをＡＵ４１０に送信することができる。スペクトル割り当てメッセージは、ＡＵ４１０に割り当てられてＡＵ４１０によって使用可能スペクトルのアイデンティティーを含むことができる。たとえば、スペクトル割り当てメッセージは、ＡＵ４１０に割り当てられてＡＵ４１０によって使用可能である３．５ＧＨｚ内のスペクトルセグメントなどのスペクトルのレンジを含むことができる。
【０１１９】
４２４において、ＡＵ４１０は、スペクトル割り当て通知をＳＳＭ４１２に送信することができる。これは、たとえば、４２２におけるスペクトル割り当てメッセージから選択されたスペクトルをＡＵ４１０が使用することができるということをＳＳＭ４１２に通知するために、行われることが可能である。スペクトル割り当て通知は、ＡＵ４１０によって選択されておくことが可能であるスペクトルをＳＳＭ４１２が割り当てることを可能にすることができる。たとえば、ＳＳＭ４１２は、ＡＵ４１０によって利用可能である可能性がある、およびＡＵ４１０によって使用可能スペクトルのレンジを提供することができる。ＡＵ４１０は、スペクトルのレンジから自分が使用することができるスペクトルを選択することができる。ＡＵ４１０は、選択されたスペクトルがＡＵ４１０に割り当てられることが可能であるということをＳＳＭ４１２に通知することができる。
【０１２０】
４１４において、ＡＵ４１０は、スペクトルモニタリングを実行することができ、測定報告を実行することができる。たとえば、４２６において、ＡＵ４１０は、アクティブスペクトルおよび／または代替スペクトルを監視することができ、測定をＳＳＭ４１２に送信することができる。これは、たとえば、ＡＵが、割り当てられたスペクトルまたはアクティブスペクトルを探してＱｏＯを監視することができるように、行われることが可能である。ＡＵは、今後の使用のために代替チャネルまたはスペクトルを監視することができる。たとえば、ＡＵは、割り当てられたスペクトルに関するＱｏＯが劣化したと言える場合に、代替スペクトルを使用することを要求することができる。
【０１２１】
４０４において、レーダ４０２は、サイレントであることが可能であり、送信を行っていないことが可能である。レーダ４０２は、層１アクセスユーザまたはＰＡＵであることが可能であり、ＡＵ４１０に割り当てられることが可能であるスペクトルにおいて機能することができる。４０６において、レーダ４０２は、レーダオペレーションを開始することができ、そのレーダオペレーションは、ＡＵ４１０に割り当てられたスペクトルに関するＱｏＯを劣化させる場合がある。
【０１２２】
４２８において、ＡＵ４１０は、ＱｏＡイベントをＳＳＭ４１２に送信することができる。ＡＵ４１０は、割り当てられたスペクトルに関するＱｏＯがＱｏＡを下回っていると言えるということを決定することができる。ＡＵ４１０は、割り当てられたスペクトルに関するＱｏＯがＱｏＡを下回っていると言えるということをＳＳＭ４１２に通知するためのＱｏＡイベントを送信することができる。ＡＵ４１０は、代替スペクトルに関するＱｏＡが、割り当てられたスペクトルに関するＱｏＯよりも良好であると言えるということをＳＳＭ４１２に通知するためのＱｏＡイベントを送信することができる。
【０１２３】
４３０において、ＡＵ４１０は、スペクトル要求を送信することができる。スペクトル要求は、ＡＵ４１０がモニタリングしておくことが可能である代替スペクトルからスペクトルを割り当てるようＳＳＭ４１２に要求することができる。スペクトル要求は、４２４において割り当てられたスペクトルを置換スペクトルと置換するようＳＳＭ４１２に要求することができる。スペクトル要求は、４２４において割り当てられたスペクトルを補完するために使用可能スペクトルを提供するようＳＳＭ４１２に要求することができる。
【０１２４】
４３２において、ＳＳＭ４１２は、スペクトル割り当てメッセージをＡＵ４１０に送信することができる。スペクトル割り当てメッセージは、ＡＵ４１０に割り当てられてＡＵ４１０によって使用可能である補完スペクトルまたは置換スペクトルのアイデンティティーを含むことができる。たとえば、スペクトル割り当てメッセージは、ＡＵ４１０に割り当てられてＡＵ４１０によって使用可能である３．５ＧＨｚ帯域内のスペクトルのレンジを含むことができる。
【０１２５】
４３４において、ＡＵ４１０は、スペクトル割り当て通知をＳＳＭ４１２に送信することができる。これは、たとえば、４３２においてスペクトル割り当てメッセージから選択されたスペクトルを使用することをＡＵ４１０が選んだということをＳＳＭ４１２に通知するために、行われることが可能である。スペクトル割り当て通知は、ＡＵ４１０によって選択されておくことが可能であるスペクトルをＳＳＭ４１２が割り当てることを可能にすることができる。たとえば、ＳＳＭ４１２は、ＡＵ４１０によって利用可能である可能性がある、およびＡＵ４１０によって使用可能スペクトルのレンジを提供することができる。ＡＵ４１０は、スペクトルのレンジから自分が使用することができるスペクトルを選択することができる。ＡＵ４１０は、選択されたスペクトルがＡＵ４１０に割り当てられることが可能であるということをＳＳＭ４１２に通知することができる。
【０１２６】
図５は、スペクトル割り当ておよび／または再割り当てのための手順の例を示している。５２２において、層スペクトル割り当てが発生することが可能である。５１８において、ＡＵ５０２が、共有スペクトルの層からの利用可能なスペクトルを要求することができる。５２０において、ＳＳＭ５０４が、利用可能なスペクトルをＡＵ５０２に提供する。５２４において、ＡＵ５０２は、使用可能である利用可能なスペクトルからのスペクトルを選択することができる。５２６において、ＡＵ５０２は、使用可能であるそのスペクトルをＳＳＭ５０４に通知することができる。５２８において、ＳＳＭ５０４は、ＡＵ５０２によって使用可能スペクトルを予約することができる。５３０において、ＳＳＭ５０４は、そのスペクトルが予約可能であるということをＡＵ５０２に通知することができる。
【０１２７】
５４４において、スペクトルモニタリングが発生することが可能である。５３２において、ＡＵ５０２は、使用可能代替スペクトルを決定することができる。５３４において、ＡＵ５０２は、使用可能代替スペクトルをＳＳＭ５０４に通知することができる。５３６において、ＳＳＭ５０４は、ＡＵ５０２による今後の使用のために代替スペクトルにフラグを設定することができる。５３８において、ＳＳＭ５０４は、可能性のある使用のために代替スペクトルがフラグを設定されておくことが可能であるということをＡＵ５０２に通知することができる。５４０において、ＡＵ５０２は、代替スペクトルが利用可能ではない可能性があるということを決定することができる。５４２において、ＡＵ５０２は、スペクトルが利用可能である可能性がある場合には、可能性のある使用のために代替スペクトルがフラグを設定されることを要求することができる。５４６において、ＳＳＭ５０４は、代替スペクトルが利用可能である可能性があるということ、および可能性のある使用のためにＡＵ５０２によってフラグを設定可能であるということをＡＵ５０２に通知することができる。
【０１２８】
５５２において、定期的な測定報告が発生することが可能である。５４８において、ＡＵ５０２は、割り当てられたスペクトルおよび／または代替スペクトルのモニタリングを実行することができる。５５０において、ＡＵ５０２は、測定を報告することができる。
【０１２９】
５５４において、ＱｏＡ劣化イベントを報告することが発生することが可能である。５５２において、ＡＵ５０２は、ＱｏＡの劣化を検知することができる。５５６において、ＡＵ５０２は、ＱｏＡイベントをＳＳＭ５０４に送信することができる。
【０１３０】
５５７において、層２スペクトル割り当てなどの層スペクトル割り当てが発生することが可能である。５５８において、ＡＵは、スペクトル再割り当てを要求することができる。５６０において、ＳＳＭ５０４は、使用可能である利用可能なスペクトルをＡＵ５０２に通知することができる。５６２において、ＡＵ５０２は、使用可能スペクトルを選択することができる。５６４において、ＡＵ５０２は、スペクトルが予約されることを要求することができる。５６６において、ＳＳＭ５０４は、ＡＵ５０２によって使用可能スペクトルを予約することができ、ＡＵ５０２のために以前に予約されておくことが可能であるスペクトルを解放することができる。５６８において、ＳＳＭ５０４は、使用のために予約可能スペクトルをＡＵ５０２に通知することができる。５７０において、ＡＵ５０２は、割り当てられたスペクトルおよび／または代替スペクトルを監視することができる。
【０１３１】
図６は、スペクトル割り当ておよび／または再割り当てのための手順の別の例を示している。スペクトル割り当て手順は、たとえば、ＡＵによって起動可能である。ＡＵは、自分のＱｏＡの劣化を経験していると言える場合には、スペクトル割り当て手順を使用することができる。
【０１３２】
層２ＡＵなどのＡＵが、初期化を実行することができ、ＳＳＭに登録することができる。ＡＵは、ＱｏＡ使用のためのスペクトル割り当てを要求することができる。ＡＵは、代替スペクトルとして今後の使用のためにその使用品質を監視するためのさらなるスペクトルを要求することができる。ＡＵは、使用されていると言える、およびアクティブであると言えるスペクトルを監視することができる。ＡＵは、代替スペクトルを監視することができる。ＡＵは、監視されたスペクトルに関して結果として生じる測定をＳＳＭに報告することができる。割り当てられているスペクトル上での使用品質の劣化に応じて、ＡＵは、ＱｏＡ劣化イベントをＳＳＭに送信することができる。ＡＵは、ＳＳＭがスペクトルを再割り当てすることおよび／または置換することを要求することができる。
【０１３３】
６０８において、デバイス初期化が発生することが可能である。６０６において、ＡＵ６０２（マスターデバイスであることが可能である）が、ＩＮＩＴ＿ＲＥＱメッセージをＳＳＭ６０４に送信することができ、ＳＳＭ６０４は、スペクトルデータベースであることが可能である。ＩＮＩＴ＿ＲＥＱメッセージは、ＳＳＭ６０４とともにＡＵ６０２を初期化することができ、それによってＳＳＭ６０４は、ＡＵ６０２を識別できることが可能になり、ＡＵ６０２と通信できることが可能になる。６１０において、ＳＳＭ６０４は、ＡＵ６０２が初期化可能であるということを確認するためのＩＮＩＴ＿ＲＥＳＰメッセージをＡＵ６０２に送信することができる。
【０１３４】
６１４において、デバイス登録が発生することが可能である。６１２において、ＡＵ６０２は、ＲＥＧＩＳＴＥＲＡＴＩＯＮ＿ＲＥＱメッセージを６０４に送信することができる。ＲＥＧＩＳＴＥＲＡＴＩＯＮ＿ＲＥＱメッセージは、ＳＳＭ６０４によって制御可能スペクトルデータベース内にＡＵ６０２を登録することができる。６１３において、ＳＳＭ６０４は、ＡＵ６０２がスペクトルデータベースに登録可能であるということを確認するためのＲＥＧＩＳＴＲＡＴＩＯＮ＿ＲＥＳＰメッセージをＡＵ６０２に送信することができる。
【０１３５】
６２２において、スペクトル割り当てが発生することが可能である。６１８において、ＡＵ６０２は、ＡＶＡＩＬＡＢＬＥ＿ＳＰＥＣＴＲＵＭ＿ＲＥＱメッセージなどのメッセージを送信することによって、ＳＳＭ６０４にスペクトルを要求することができる。そのメッセージは、要求されたスペクトルのサイズ、要求されたスペクトルアクセスのタイプ（たとえば、層１、層２、または層３）、要求されたＱｏＡ（たとえば、周波数にわたる排他性、時間にわたるアクセスの排他性、ｘｄＢｍよりも低いノイズレベル）、周波数レンジ（３．５ＧＨｚにおけるレンジ、またはＴＶＷＳ帯域におけるレンジ．．．）等などの情報を含むことができる。層２値は、ＳＳＭ側においてＡＵのためにスペクトルを予約するための表示であることが可能である。ＡＶＡＩＬＡＢＬＥ＿ＳＰＥＣＴＲＵＭ＿ＲＥＱメッセージは、要求の原因を含むことができる。原因は、構成、再構成などであることが可能である。構成原因は、オペレーションを開始するためのＡＵの最初のチャネルセットアップ、またはＡＵオペレーションキャパシティーを増大することができるさらなるチャネルをセットアップすることを含むことができる。
【０１３６】
ＳＳＭ６０４は、ＡＵ６０２によって要求されたサイズおよび量にマッチすることができるスペクトルのリストを選択することができる。ＳＳＭ６０４は、要求されたＱｏＡおよび周波数レンジに適合することができる利用可能なスペクトルからスペクトルのリストを生成することができる。ＳＳＭ６０４は、ＡＵ６０２によって要求されておくことが可能であるよりも大きいサイズおよび量を選択することができる。ＳＳＭ６０４は、ＡＵ６０２によって要求されておくことが可能であるよりも高いＱｏＡのスペクトルを選択することができる。
【０１３７】
６２０において、ＳＳＭ６０４は、選択されたスペクトルリストを、ＡＶＡＩＬＡＢＬＥ＿ＳＰＥＣＴＲＵＭ＿ＲＥＳＰメッセージなどのメッセージを介してＡＵ６０２に送信することができる。そのメッセージは、リスト内の１または複数のスペクトルに関するスペクトルアクセスのタイプ（たとえば、層２）を含むことができる。そのメッセージは、報告されたスペクトルに対応することができるＱｏＡを含むことができる。たとえば、そのメッセージは、複数のスペクトルを含むことができる場合には、１または複数のスペクトルのそれぞれに関するＱｏＡを含むことができる。
【０１３８】
６２４において、ＡＵ６０２は、スペクトルリストが空であると言える、または空ではないと言えるということを決定することができる。スペクトルリストが空であると言える場合には、ＡＵは、要求されるＱｏＡを低減することができ、要求されるスペクトルのサイズを変更することができ、要求される周波数レンジを変更することができ、ＡＶＡＩＬＡＢＬＥ＿ＳＰＥＣＴＲＵＭ＿ＲＥＱメッセージをＳＳＭ６０４に再送信することができる。
【０１３９】
ＡＵ６０２は、スペクトルリストが空ではないと言えるということを決定することができる場合には、使用するためのスペクトルをスペクトルリストから選択することができる。スペクトルリスト内のスペクトルが、要求されたスペクトルよりも大きい場合には、ＡＵ６０２は、要求されたスペクトルをスペクトルリストから選択することができる。６２６において、ＡＵ６０２は、ＡＵ６０２によって使用可能スペクトルを、ＳＰＥＣＴＲＵＭ＿ＵＳＥ＿ＮＯＴＩＦＹメッセージなどのメッセージを介してＳＳＭ６０４に通知することができる。ＳＰＥＣＴＲＵＭ＿ＵＳＥ＿ＮＯＴＩＦＹは、ＡＵ６０２のためのスペクトルを予約するようＳＳＭ６０４に要求することができる。これは、ＡＶＡＩＬＡＢＬＥ＿ＳＰＥＣＴＲＵＭ＿ＲＥＱメッセージからの情報を含むことができる。６２８において、ＳＳＭ６０４は、ＡＵ６０２のためのスペクトルを予約することができ、６３０において、その予約を確認することができるＳＰＥＣＴＲＵＭ＿ＵＳＥ＿ＲＥＳＰメッセージをＡＵ６０２に送信することができる。
【０１４０】
６４４において、ＡＵ６０２は、代替スペクトルを監視することができる。たとえば、ＡＵ６０２は、代替スペクトルのスペクトル品質を監視することができ、それらの測定値をそのロケーションに関連付けることができる。ＳＳＭ６０４は、スペクトルのリストをＡＵ６０２に送信しておくことが可能であり、そのリスト内では、そのスペクトルの一部が使用されていない場合があり、ＡＵ６０２は、使用されていないと言えるそのスペクトル、またはそのスペクトルの一部を監視することを選ぶことができる。たとえば、ＡＵ６０２は、ＡＵ６０２によって使用されていないと言える、スペクトルのリスト内のスペクトルを、後ほど使用可能代替スペクトルとみなすことができる。
【０１４１】
６３１において、ＡＵ６０２は、代替スペクトルのリストを、ＳＰＥＣＴＲＵＭ＿ＵＳＥ＿ＮＯＴＩＦＹメッセージを介してＳＳＭ６０４に送信することができる。そのメッセージは、スペクトルのリストがモニタリング目的での代替スペクトルリストであるということを示す情報を含むことができる。６３６において、ＳＳＭ６０４は、代替スペクトルに、後ほどＡＵ６０２によって使用可能スペクトルとしてフラグを設定することができ、６３７において、代替スペクトルがフラグを設定されたと言えるということをＡＵ６０２に通知することができる。
【０１４２】
６３８において、ＡＵは、ＳＳＭ６０４がモニタリング目的でのスペクトルのリストを提供することを要求することができる。これは、たとえば、６３８においてＡＶＡＩＬＡＢＬＥ＿ＳＰＥＣＴＲＵＭ＿ＲＥＱメッセージをＳＳＭ６０４に送信することによって、行われることが可能である。そのメッセージは、要求されたスペクトルがモニタリング目的での代替スペクトルとみな可能である旨の表示を含むことができる。
【０１４３】
６３９において、ＳＳＭ６０４は、代替スペクトルリストを選択することができ、それを、ＡＶＡＩＬＡＢＬＥ＿ＳＰＥＣＴＲＵＭ＿ＲＥＳＰメッセージを通じてＡＵ６０２に送信することができる。そのメッセージは、本明細書において記載されているような情報を含むことができ、スペクトルリストがモニタリング目的での代替スペクトルであると言える旨の表示を含むことができる。
【０１４４】
６３２において、ＡＵ６０２は、監視するための代替スペクトルを、ＳＳＭ６０４によって送信されたスペクトルリストから選択することができる。６４２において、ＡＵ６０２は、監視可能である選択された代替スペクトルを、ＳＰＥＣＴＲＵＭ＿ＵＳＥ＿ＮＯＴＩＦＹメッセージを介してＳＳＭ６０４に通知することができる。ＳＰＥＣＴＲＵＭ＿ＵＳＥ＿ＮＯＴＩＦＹメッセージは、スペクトルリストが代替スペクトルリストであるということを示す情報を含むことができる。６４３において、ＳＳＭ６０４は、代替スペクトルリストに、たとえば、ＡＵ６０２によって監視されるものとしてフラグを設定することができる。６４８において、ＳＳＭ６０４は、言及されているスペクトルリストが代替スペクトルリストであると言えるということを示す情報を含むことができるＳＰＥＣＴＲＵＭ＿ＵＳＥ＿ＲＥＳＰメッセージをＡＵ６０２に送信することができる。
【０１４５】
ＡＵ６０２によって監視可能代替スペクトルがＳＳＭ６０４によって別のＡＵに割り振られることが可能である場合には、ＳＳＭ６０４は、ＡＵ６０２に通知することができる。たとえば、ＳＳＭ６０４は、代替スペクトルが別のＡＵに割り振られたと言えるということをＡＵ６０２に通知するために、ＡＶＡＩＬＡＢＬＥ＿ＳＰＥＣＴＲＵＭ＿ＲＥＳＰメッセージまたはＳＰＥＣＴＲＵＭ＿ＵＳＥ＿ＲＥＳＰメッセージを送信することができる。
【０１４６】
６５２において、定期的な測定および／または報告が提供可能である。たとえば、６５０において、ＡＵ６０２は、測定をＳＳＭ６０４に定期的に報告することができる。６４９において、ＡＵ６０２は、アクティブスペクトルなど、使用されていると言えるスペクトルを監視することができ、代替スペクトルを監視することができる。ＡＵ６０２によって監視されることになる代替スペクトルは、ＱｏＡが劣化した場合にＡＵ６０２が使用することができるスペクトルであると言える。ＳＳＭ６０４に送信されることになる測定は、ＲＦチャネル、および１または複数のスペクトルセグメントの占有度のレベルを記載することができる。これらの測定は、エリア内で機能していることが可能であるシステムに関するランク付けされたチャネルリストをＳＳＭ６０４が提供するのを支援することができる。これらの測定は、ＱｏＡの点でＡＵ６０２のための要求を満たすことができる特定のスペクトルセグメントを割り当てるおよび予約するために使用可能である。
【０１４７】
測定を含むことができるメッセージが、ＡＵ６０２によってＳＳＭ６０４に定期的に送信可能である。そのメッセージは、測定が適用可能スペクトルセグメントを識別することができる。そのメッセージは、平均ノイズレベルまたはバックグラウンドノイズレベル、スペクトルが別のシステムによって使用可能である場合の干渉レベルなどを含むことができる。そのメッセージは、測定を導出するために測定値が取られることが可能であるロケーションを含むことができる。測定が複数のソースから取られた場合には、測定値が取られておくことが可能であるロケーションが、メッセージ内に含まれることが可能である。そのメッセージは、スペクトルセグメントが使用または占有可能である時間のパーセンテージとしての占有度を含むことができる。たとえば、Ｗｉ−Ｆｉなどの別の通信システムが、スペクトルセグメントを散発的に使用することができる場合には、測定は、平均占有度を中継することができる。そのメッセージは、エリア内の層２ユーザまたは層３ユーザの存在の表示、および任意の関連した識別情報を含むことができる。たとえば、Ｗｉ−Ｆｉシステムが存在する可能性および／または検知される可能性がある場合には、測定は、これを示すことができ、任意の検知可能な識別情報を含むことができる。そのメッセージは、層２ユーザまたは層３ユーザによって使用されている帯域幅に関連した情報を含むことができる。そのメッセージは、そのエリア内のインカンベントの存在の表示を含むことができる。たとえば、レーダシステムが検知可能である場合には、測定は、そのように示すことができる。そのメッセージは、レーダに関連した情報、たとえば、レーダパルス中の受信されたパワーレベル、（たとえば、レーダ回転スピードに起因する）パルスバーストの時間における定期性、パルスの持続時間などを含むことができる。そのメッセージは、インカンベントによって使用されている帯域幅に関連した情報を含むことができる。測定メッセージが、メッセージタイプを通じて送信可能である。測定メッセージは、ＳＰＥＣＴＲＵＭ＿ＵＳＥ＿ＮＯＴＩＦＹメッセージを使用して、たとえば、測定によって追随される測定タグを使用して送信可能である。
【０１４８】
ＱｏＡ劣化を報告することが、６５４において発生することが可能である。６５３において、ＡＵ６０２は、ＱｏＡ劣化イベントなどのＱｏＡイベントを検知することができ、報告することができる。たとえば、６５６において、ＡＵ６０２は、ＱｏＡ劣化イベントをＳＳＭ６０４に報告することができる。
【０１４９】
ＱｏＡなど、スペクトルへのアクセスが、金銭的対価と引き換えに層２ユーザに与えられることが可能である。公的安全ユーザなどのユーザは、インカンベントではない場合があるが、スペクトルへのアクセスを得ることができ、自分たちの割り振られたスペクトルに対するＱｏＡを受信することができる。ＡＵ６０２は、割り振られたチャネルおよびアクティブチャネル上での自分のオペレーションの品質を監視することができる。割り振られたスペクトルにわたるＱｏＯが劣化した場合には、ＡＵ６０２は、チャネルへの割り振りが保持可能であるということを確認することができる。
【０１５０】
たとえば、ＡＵ６０２は、ＡＰまたはｅＮＢであることが可能であり、時間においておよび／または周波数においてスペクトルのセグメントへのアクセスを受信することができ、量の時間にわたってそのセグメント上で機能することができる。アクセスおよび予想されたノイズレベルに基づいて、ＡＵ６０２（ＡＰまたはｅＮＢであることが可能である）、およびその関連付けられているクライアントは、所与のＱｏＯで機能することができる。ＱｏＯは、システムパフォーマンスまたはクライアントパフォーマンスを監視することによって測定可能である。ＡＵ６０２は、ＱｏＯの劣化を検知することができる。これは、たとえば、配信されるトラフィックが増大していないと言える一方でのメディアの占有度における増大を測定することによって、検知可能である。ＡＵ６０２は、フレームエラー率における増大、またはパケットを配信するための移動平均遅延の増大、またはスループットにおける低下を測定することによって、ＱｏＯの劣化を検知することができる。
【０１５１】
ＡＵ６０２の１または複数のクライアントのＱｏＯが劣化した場合には、これは、保証されたＱｏＡが依然として満たされていると言えるかどうかを確認するための手順をトリガーすることができる。ＱｏＯにおける低下は、スペクトルへの排他的なアクセスの喪失に関連していないと言える要因によってもたらされる場合がある。たとえば、１または複数のクライアントがレンジの外へ移動したことによって、またはシステム上での増大された需要によって、劣化がもたらされる場合がある。
【０１５２】
ＡＵ６０２は、干渉のレベルを監視するために、サイレントになることができ、または自分のクライアントのうちの１または複数をサイレントにさせることができる。これは、たとえば、定期的に、散発的に、またはＡＵの１もしくは複数のクライアントのＱｏＯが劣化した場合に、行われることが可能である。干渉レベルは、スペクトルがはじめに割り振られたときに予想されておくことが可能であるノイズフロアのレベルまたは干渉レベルと比較可能である。たとえば、ＳＳＭ６０４は、層２レベルに割り振られたスペクトルセグメントに関する予想されたノイズレベルまたは干渉をＡＵ６０２に知らせることができる。別の例として、ＡＵ６０２は、割り振りの前にスペクトルセグメントに関する平均ノイズレベルを推定することができる。
【０１５３】
ＡＵ６０２は、スペクトルセグメントを介して搬送可能であるトラフィックを監視することができ、異なるＳＳＩＤを有することができるＷｉ−Ｆｉシステム、異なるセルＩＤを有することができるＬＴＥシステムなどによってスペクトルが使用可能であるということを発見することができる。これは、たとえば、ＡＵ６０２の１または複数のクライアントのＱｏＯが劣化したと言える場合に、発生することが可能である。
【０１５４】
ＡＵ６０２は、予想されることが不可能であるインカンベントの存在または到来を、ＳＳＭ６０４によって送信された情報に基づいて検知することができる。これは、たとえば、ＡＵ６０２の１または複数のクライアントのＱｏＯが劣化したと言える場合に、実行可能である。インカンベントは、たとえば、ＡＵ６０２に近づいている可能性がある、および予約されているスペクトルにおける通信に影響を与える可能性がある船舶搭載レーダである可能性がある。
【０１５５】
６５６において、ＡＵ６０２は、ＱｏＡイベントメッセージをＳＳＭ６０４に送信することができる。これは、たとえば、１または複数のクライアントのＱｏＯが劣化したと言えるということをＡＵ６０２が検知することができる場合に、行われることが可能である。たとえば、ＡＵ６０２は、ノイズレベルが増大したと言える場合、予想されていないＷｉ−Ｆｉシステムがスペクトル内で検知されたと言える場合、予想されていないインカンベントが検知された場合などに、ＱｏＡイベントメッセージをＳＳＭ６０４に送信することができる。ＱｏＡイベントメッセージは、ＱｏＡイベントに関連した情報、たとえば、スペクトルセグメント、ノイズレベル、インカンベントタイプ（たとえば、レーダ）、通信タイプ、通信ｉｄ、パフォーマンス測定、スペクトル割り振りに関する要求されたＱｏＡ、パフォーマンス測定などを含むことができる。ＱｏＡイベントメッセージは、検知されたＱｏＡ状況に関する情報、たとえば、ノイズレベル増大、予想されていないインカンベント、予想されていない通信システムなどを含むことができる。ＱｏＡイベントメッセージは、干渉の原因をＡＵ６０２が決定することができないと言える場合には、干渉の原因が不明である旨の表示を含むことができる。ＱｏＡイベントメッセージは、ＡＵ６０２のＱｏＡ要求を満たすためにスペクトルセグメントが要求されていると言えるということをＳＳＭ６０４に知らせることができるスペクトル要求を含むことができる。そのスペクトル要求は、スペクトル割り振りのために使用可能スペクトルの提案されるレンジを含むことができる。
【０１５６】
ＱｏＡイベントメッセージは、ＡＶＡＩＬＡＢＬＥ＿ＳＰＥＣＴＲＵＭ＿ＲＥＱメッセージに対する拡張であることが可能である。たとえば、６５８において、測定、原因等などのＱｏＡイベント情報によって追随されるＱｏＡタグが、ＡＶＡＩＬＡＢＬＥ＿ＳＰＥＣＴＲＵＭ＿ＲＥＱメッセージ内に挿入可能である。ＱｏＡイベントメッセージは、ＳＰＥＣＴＲＵＭ＿ＵＳＥ＿ＮＯＴＩＦＹメッセージに対する拡張であることが可能である。たとえば、測定、原因等などのＱｏＡイベント情報によって追随されるＱｏＡタグが、ＳＰＥＣＴＲＵＭ＿ＵＳＥ＿ＮＯＴＩＦＹメッセージ内に挿入可能である。
【０１５７】
ＳＳＭ６０４は、ＡＵ６０２からＱｏＡイベントを受信することができる。そのＱｏＡイベントは、スペクトル再割り当てを要求することができる。６５８において、ＡＵ６０２は、ＡＶＡＩＬＡＢＬＥ＿ＳＰＥＣＴＲＵＭ＿ＲＥＱメッセージをＳＳＭ６０４に送信することによって、スペクトルを要求することができる。そのメッセージは、ＳＳＭ側においてＡＵのためのスペクトルを予約するための要求、ＱｏＡ要求、周波数レンジ（たとえば、３．５ＧＨｚにおけるレンジ、またはＴＶＷＳ帯域におけるレンジ）等などの情報を含むことができる。再割り当て要求における周波数レンジは、ＡＵ６０２によって監視可能代替スペクトルのリストに制限可能である。たとえば、６５８において、ＡＶＡＩＬＡＢＬＥ＿ＳＰＥＣＴＲＵＭ＿ＲＥＱメッセージは、共有スペクトルの層２からのものであることが可能である、およびＱｏＡを満たすことができる、代替スペクトルからのスペクトルを要求することができる。そのＱｏＡは、６１８において要求されておくことが可能であるＱｏＡであることが可能である。
【０１５８】
６５７において、スペクトル再割り当てが発生することが可能である。ＳＳＭ６０４は、同じレベルのＱｏＡを伴うＡＵにスペクトルセグメントを割り振ることができ、そのスペクトルセグメントは、ＱｏＡイベントによって報告された問題のあるスペクトルセグメントを排除することができる利用可能なスペクトルのセットから選択可能である。６６０において、ＡＶＡＩＬＡＢＬＥ＿ＳＰＥＣＴＲＵＭ＿ＲＥＳＰメッセージが、ＡＵ６０２に送信可能である。そのＡＶＡＩＬＡＢＬＥ＿ＳＰＥＣＴＲＵＭ＿ＲＥＳＰメッセージは、タイプ＝層２フラグと、ＱｏＡイベントが発生したと言えるスペクトルセグメントに関連付けられている以前に要求されたＱｏＡを満たすことができる可能な層２スペクトルセグメントのリストとを含むことができる。
【０１５９】
ＳＳＭ６０４は、要求されたレンジに関する要求されたＱｏＡを満たすことができない場合がある。ＳＳＭ６０４は、ＡＶＡＩＬＡＢＬＥ＿ＳＰＥＣＴＲＵＭ＿ＲＥＳＰメッセージを拒否タグとともに送信することができる。ＡＵ６０２は、より広い周波数レンジまたはより低いＱｏＡ（たとえば、より小さなチャネル帯域幅）を含むことができるＡＶＡＩＬＡＢＬＥ＿ＳＰＥＣＴＲＵＭ＿ＲＥＱメッセージを応答内に含めて送信することができる。これは、たとえば、ＳＳＭ６０４が要求を満たすことができるまで、行われることが可能である。ＳＳＭ６０４は、スペクトルリストを選択することができ、それを、ＡＶＡＩＬＡＢＬＥ＿ＳＰＥＣＴＲＵＭ＿ＲＥＳＰメッセージを使用してＡＵ６０２に送信することができる。
【０１６０】
６６２において、ＡＵ６０２は、スペクトルリストが空であると言える、または空ではないと言えるということを決定することができる。スペクトルリストが空であると言える場合には、ＡＵは、要求されるＱｏＡを低減することができ、要求されるスペクトルのサイズを変更することができ、要求される周波数レンジを変更することができ、ＡＶＡＩＬＡＢＬＥ＿ＳＰＥＣＴＲＵＭ＿ＲＥＱメッセージをＳＳＭ６０４に再送信することができる。
【０１６１】
ＡＵ６０２は、スペクトルリストが空ではないと言えるということを決定することができる場合には、使用するためのスペクトルを、ＳＳＭ６０４から送信されたスペクトルリストから選択することができる。スペクトルリスト内のスペクトルが、要求されたスペクトルよりも大きい場合には、ＡＵ６０２は、要求されたスペクトルをスペクトルリストから選択することができる。
【０１６２】
６６４において、ＡＵ６０２は、ＡＵ６０２によって使用可能スペクトルを、ＳＰＥＣＴＲＵＭ＿ＵＳＥ＿ＮＯＴＩＦＹメッセージなどのメッセージを介してＳＳＭ６０４に通知することができる。ＳＰＥＣＴＲＵＭ＿ＵＳＥ＿ＮＯＴＩＦＹメッセージは、ＳＳＭ６０４に要求し、ＡＵ６０２のためのスペクトルを予約することができる。ＳＰＥＣＴＲＵＭ＿ＵＳＥ＿ＮＯＴＩＦＹメッセージは、ＡＵ６０２がもはや使用しなくてもよい解放されたスペクトルの情報を含むことができる。
【０１６３】
６６６において、ＳＳＭ６０４は、ＡＵ６０２のためのスペクトルを予約することができ、ＡＵ６０２のために以前に予約されておくことが可能であるスペクトルを解放することができる。６６８において、ＳＳＭ６０４は、スペクトルの予約を確認することができる、およびＡＵ６０２のために以前に予約されておくことが可能であるスペクトルの解放を確認することができるＳＰＥＣＴＲＵＭ＿ＵＳＥ＿ＲＥＳＰメッセージをＡＵ６０２に送信することができる。６７０において、ＡＵ６０２は、アクティブスペクトルなど、使用されていると言えるスペクトルを監視することができ、代替スペクトルを監視することができる。
【０１６４】
図７は、アクセス品質（ＱｏＡ）イベントを取り扱うための例示的なロジックを示している。７０２において、ＳＳＭが、ＱｏＡに適合することができるスペクトルを求めるＡＵからの要求に応答して、共有スペクトルの層からのスペクトルをＡＵに割り振ることができる。ＳＳＭは、スペクトルリストをＡＵに送信することができる。そのスペクトルリストは、ＡＵに割り振られることが可能である、および／またはＡＵによって使用可能スペクトルを含むことができる。そのスペクトルリストは、１または複数のスペクトルに関するスペクトルアクセスのタイプをそのリスト内に含むことができ、１または複数のスペクトルに関するＱｏＡをそのリスト内に含むことができる、といった具合である。７０４において、ＡＵは、層スペクトル割り振りを受信することができ、構成を行うことができ、その層スペクトル割り振り上で機能することができる。
【０１６５】
７０８において、ＡＵは、ＱｏＯを監視することができる。たとえば、ＡＵは、共有スペクトルの層からの割り振られたスペクトルに関するＱｏＯを監視することができる。ＱｏＯは、システムパフォーマンスまたはクライアントパフォーマンスを監視することによって測定可能である。ＡＵは、アクティブスペクトルなど、使用されていると言えるスペクトルに関するＱｏＯを監視することができ、代替スペクトルを監視することができる。ＡＵによって監視されることになる代替スペクトルは、ＱｏＡが劣化した場合にＡＵが使用することができるスペクトルであると言える。ＳＳＭに送信可能である測定は、ＲＦチャネル、および１または複数のスペクトルセグメントの占有度のレベルを記載することができる。これらの測定は、エリア内で機能していることが可能であるシステムに関するランク付けされたチャネルリストをＳＳＭが提供するのを支援することができる。これらの測定は、ＱｏＡの点でＡＵのための要求を満たすことができる特定のスペクトルセグメントを割り当てるおよび予約するために使用可能である。
【０１６６】
７１０において、ＱｏＯにおける低下が検知可能である。たとえば、ＡＵは、共有スペクトルの層からの割り振られたスペクトルに関するＱｏＯが劣化したと言えるということを検知することができる。これは、たとえば、配信されるトラフィックが増大していないと言える一方でのメディアの占有度における増大を測定することによって、検知可能である。ＡＵは、フレームエラー率における増大、またはパケットを配信するための移動平均遅延の増大、またはスループットにおける低下を測定することによって、ＱｏＯの劣化を検知することができる。
【０１６７】
ＡＵの１または複数のクライアントのＱｏＯが劣化した場合には、これは、保証されたＱｏＡが依然として満たされていると言えるかどうかを確認するための手順をトリガーすることができる。ＱｏＯにおける低下は、スペクトルへの排他的なアクセスの喪失に関連していないと言える要因によってもたらされる場合がある。たとえば、１または複数のクライアントがレンジの外へ移動したことによって、またはシステム上での増大された需要によって、劣化がもたらされる場合がある。
【０１６８】
ＡＵは、干渉のレベルを監視するために、サイレントになることができ、または自分のクライアントのうちの１または複数をサイレントにさせることができる。これは、たとえば、定期的に、散発的に、またはＡＵの１もしくは複数のクライアントのＱｏＯが劣化した場合に、行われることが可能である。干渉レベルは、スペクトルがはじめに割り振られたときに予想されておくことが可能であるノイズフロアのレベルまたは干渉レベルと比較可能である。たとえば、ＳＳＭは、層２レベルに割り振られたスペクトルセグメントに関する予想されたノイズレベルまたは干渉をＡＵに知らせることができる。別の例として、ＡＵは、割り振りの前にスペクトルセグメントに関する平均ノイズレベルを推定することができる。
【０１６９】
７１６において、ＡＵは、ＱｏＡイベントメッセージをＳＳＭに送信することができる。これは、たとえば、ＱｏＯが劣化したと言えるということをＡＵが検知することができる場合に、行われることが可能である。ＱｏＡイベントメッセージは、ＱｏＡイベントに関連した情報、たとえば、スペクトルセグメント、ノイズレベル、インカンベントタイプ（たとえば、レーダ）、通信タイプ、通信ｉｄ、パフォーマンス測定、スペクトル割り振りに関する要求されたＱｏＡ、パフォーマンス測定などを含むことができる。ＱｏＡイベントメッセージは、検知されたＱｏＡ状況に関する情報、たとえば、ノイズレベル増大、予想されていないインカンベント、予想されていない通信システムなどを含むことができる。ＱｏＡイベントメッセージは、干渉の原因をＡＵ６０２が決定することができないと言える場合には、干渉の原因が不明である旨の表示を含むことができる。ＱｏＡイベントメッセージは、ＡＵのＱｏＡ要求を満たすためにスペクトルセグメントが要求されていると言えるということをＳＳＭに知らせることができるスペクトル要求を含むことができる。そのスペクトル要求は、スペクトル割り振りのために使用可能スペクトルの提案されるレンジを含むことができる。
【０１７０】
ＱｏＡイベントメッセージは、ＡＶＡＩＬＡＢＬＥ＿ＳＰＥＣＴＲＵＭ＿ＲＥＱメッセージに対する拡張であることが可能である。たとえば、測定、原因等などのＱｏＡイベント情報によって追随されるＱｏＡタグが、ＡＶＡＩＬＡＢＬＥ＿ＳＰＥＣＴＲＵＭ＿ＲＥＱメッセージ内に挿入可能である。ＱｏＡイベントメッセージは、ＳＰＥＣＴＲＵＭ＿ＵＳＥ＿ＮＯＴＩＦＹメッセージに対する拡張であることが可能である。たとえば、測定、原因等などのＱｏＡイベント情報によって追随されるＱｏＡタグが、ＳＰＥＣＴＲＵＭ＿ＵＳＥ＿ＮＯＴＩＦＹメッセージ内に挿入可能である。
【０１７１】
ＳＳＭは、ＳＰＥＣＴＲＵＭ＿ＵＳＥ＿Ｎｏｔｉｆｙメッセージなどのメッセージとして送信可能であるＱｏＡイベントを受信することができる。ＳＳＭは、同じレベルのＱｏＡを伴うＡＵにスペクトルセグメントを割り振ることができ、そのスペクトルセグメントは、ＱｏＡイベントによって報告された問題のあるスペクトルセグメントを排除することができる利用可能なスペクトルのセットから選択可能である。これは、たとえば、タイプ＝層２フラグと、ＱｏＡイベントが発生したと言えるスペクトルセグメントに関連付けられている以前に要求されたＱｏＡを満たすことができる可能な層２スペクトルセグメントのリストとを伴うＡＶＡＩＬＡＢＬＥ＿ＳＰＥＣＴＲＵＭ＿ＲＥＳＰメッセージを送信することによって、行われることが可能である。
【０１７２】
ＳＳＭは、所与の時間にわたってＡＵによる使用が不可能であるものとしてスペクトルにタグ付けすることができ、スペクトルセグメントを再割り振りする前にＡＵがスペクトル要求を行うのを待つことができる。ＱｏＡイベント報告は、層２ユーザに払い戻しを行うことなど、料金請求目的で使用可能である。
【０１７３】
ＡＶＡＩＬＡＢＬＥ＿ＳＰＥＣＴＲＵＭ＿ＲＥＱメッセージなどのスペクトル要求メッセージは、要求の原因を含むことができる。たとえば、要求の原因は、再構成である場合があり、再構成は、既存のスペクトルを置換するための要求であると言える。そのメッセージは、なぜ再構成が要求されたと言えるかという理由を含むことができる。たとえば、システムが通信することができないと言えるために、または劣悪な通信を有していると言えるために、再構成が要求されたと言える。別の原因は、ＱｏＡ劣化である場合があり、ＱｏＡ劣化は、システムが、合意された最低のＱｏＡレベルを下回って機能していると言える場合であると言える。別の原因は、最適化である場合があり、最適化は、システムが、より良好なスペクトル置換を要求していると言える場合であると言える。最適化は、ＡＵシステムが、保証されたＱｏＡを上回って機能していると言える場合でさえ、要求される可能性がある。
【０１７４】
スペクトル要求メッセージは、ＳＳＭがどれぐらい速くまたはどれぐらい長くＡＵに応答しなければならないと言えるかについてＳＳＭに知らせるために使用可能である時間制約情報を含むことができる。その時間制約は、再構成要求に関する理由に応じて異なることが可能である。たとえば、サービスの不足に関しては、短いタイムピリオドが要求されることが可能であり、ＱｏＡ劣化に関しては、中ぐらいのタイムピリオドが要求されることが可能であり、最適化に関しては、長いタイムピリオドが要求可能である。サービスの不足および最適化に関しては、スペクトル要求メッセージは、原因の源、たとえば、ノイズレベル増大、予想されていないインカンベント、予想されていない通信システム、不明な原因などを含むことができる。再構成に関しては、ＡＶＡＩＬＡＢＬＥ＿ＳＰＥＣＴＲＵＭ＿ＲＥＱメッセージは、置換するためのスペクトル識別情報を含むことができる。
【０１７５】
干渉の原因が報告されていないと言える場合には、ＳＳＭは、サードパーティー、たとえば、そのロケーションの付近でまたはそのロケーションで影響される可能性がある別のＡＵ、そのロケーションにサービス提供しているデータベースなどから収集された情報を使用して、これがＱｏＡイベントであると言えるかどうかを決定することができる。これは、確認のケースにおいては、またはＱｏＡ原因がＳＳＭによって決定可能である場合には、ＡＵに報告可能である。不明な原因は、料金請求目的で別に取り扱われることが可能である。
【０１７６】
ＱｏＡイベントの後に、ＡＵは、ＡＶＡＩＬＡＢＬＥ＿ＳＰＥＣＴＲＵＭ＿ＲＥＱメッセージをＳＳＭに送信することによって、スペクトルを要求することができる。そのメッセージは、ＳＳＭ側においてＡＵのためのスペクトルを予約するための要求、ＱｏＡ要求、周波数レンジ（たとえば、３．５ＧＨｚにおけるレンジ、またはＴＶＷＳ帯域におけるレンジ）等などの情報を含むことができる。再割り当て要求における周波数レンジは、ＡＵによって監視可能代替スペクトルのリストに制限可能である。ＳＳＭは、要求されたレンジに関する要求されたＱｏＡを満たすことができない場合がある。ＳＳＭは、ＡＶＡＩＬＡＢＬＥ＿ＳＰＥＣＴＲＵＭ＿ＲＥＳＰメッセージを拒否タグとともに送信することができる。ＡＵは、より広い周波数レンジまたはより低いＱｏＡ（たとえば、より小さなチャネル帯域幅）を含むことができるＡＶＡＩＬＡＢＬＥ＿ＳＰＥＣＴＲＵＭ＿ＲＥＱメッセージを応答内に含めて送信することができる。これは、たとえば、ＳＳＭが要求を満たすことができるまで、行われることが可能である。ＳＳＭは、スペクトルリストを選択することができ、それを、ＡＶＡＩＬＡＢＬＥ＿ＳＰＥＣＴＲＵＭ＿ＲＥＳＰメッセージを使用してＡＵに送信することができる。ＡＵは、ＡＵによって使用可能スペクトルに関して、ＳＰＥＣＴＲＵＭ＿ＵＳＥ＿ＮＯＴＩＦＹメッセージを通じてＳＳＭに通知することができる。ＳＰＥＣＴＲＵＭ＿ＵＳＥ＿ＮＯＴＩＦＹメッセージは、ＡＵのためのスペクトルを予約したいという表示に関する情報を含むことができる。その情報は、ＡＶＡＩＬＡＢＬＥ＿ＳＰＥＣＴＲＵＭ＿ＲＥＱメッセージ内に含まれている情報と同様のものであることが可能である。このメッセージを受信すると、ＳＳＭは、ＡＵのためのスペクトルを予約することができ、その予約を確認することができるＳＰＥＣＴＲＵＭ＿ＵＳＥ＿ＲＥＳＰメッセージをＡＵに送信することができる。
【０１７７】
ＳＰＥＣＴＲＵＭ＿ＵＳＥ＿ＮＯＴＩＦＹメッセージは、解放されたスペクトルに言及することができ、そのスペクトルは、置換されるスペクトルであることが可能である。このケースにおいては、そのメッセージは、そのメッセージ内の言及されているスペクトルが解放可能であるということを示すタグなどの情報を含むことができる。そのメッセージを受信すると、ＳＳＭは、スペクトルのステータスを、「予約されている」から「空いている」に変更することができる。ＳＳＭは、メッセージ内の言及されているスペクトルが「空いている」ステータスに設定されていると言えるということを示すことができるＳＰＥＣＴＲＵＭ＿ＵＳＥ＿ＮＯＴＩＦＹメッセージを使用して、ＡＵに返答することができる。
【０１７８】
動的なスペクトルカテゴリー適合が、共有スペクトルアクセスシステムのために提供可能である。スペクトルカテゴリーＢおよびＣに関する相対的なＢＷ構造は、イベントに動的に適合することができる。たとえば、イベントは、セカンダリーユーザ（または複数のセカンダリーユーザ）がスペクトルセグメントＢ内の帯域幅上で混雑を経験している可能性がある場合であるかもしれない。別の例として、イベントは、セカンダリーユーザが機能していた可能性があるスペクトルセグメントＡ内の帯域幅上でプライマリーユーザがオペレーションを開始する可能性がある場合であるかもしれない。セカンダリーユーザは、スペクトルセグメントＡ内の帯域幅上で機能していた可能性があるが、その帯域幅をやめなければならなかった可能性があり、帯域幅割り当てを要求する可能性がある。
【０１７９】
セカンダリーユーザに割り当てるための利用可能な帯域幅がスペクトルセグメントＡまたはＢ内に存在しないと言えるケースにおいては、ＳＳＭは、スペクトルセグメントを一時的に再編成することができる。たとえば、ＳＳＭは、スペクトルセグメントＣの一部をスペクトルセグメントＢに再分配することができる。ＳＳＭは、スペクトルセグメントＢへの追加されたスペクトルを使用して、セカンダリーユーザに、その保証されたＱｏＯを確実にすることができる帯域幅を割り当てることができる。
【０１８０】
スペクトルセグメントＢの一部が、スペクトルセグメントＣとして再分配されることが可能であり、その場合には、保証されたＱｏＯユーザの数が減少する場合がある。これは、ＳＳＭによって決定可能である測定（利用度または利益など）の最大化に起因して発生する場合がある。カテゴリーＣにおけるスペクトルの可用性における増大は、利用可能なスペクトルを利用しようというユーザの意欲が増大する結果をもたらす場合がある。
【０１８１】
ＳＳＭは、再分配されたスペクトルからのユーザたちと連携して、そのスペクトルを明け渡すことができる。ＳＳＭシステムは、スペクトルを明け渡すためのメッセージをユーザたちに送信することができる。ＳＳＭは、自分のデータベースを更新して、スペクトルセグメント再分配を反映することができる。
【０１８２】
ＳＳＭのための価格設定および制御メカニズムが提供可能である。共有スペクトルの価格設定は、複数のガイドラインに適合することができる。たとえば、ガイドラインは、共有スペクトルがあまり利用可能でないままである場合には、ＱｏＯあたりの価格設定が増大することができるというものであることが可能である。別の例として、ガイドラインは、保証されたＱｏＯへのアクセスをＳＡＵが得るための最低の（ゼロではないことが可能な）価格が存在することができるというものであることが可能である。その価格は、保証されたＱｏＳあたり、ＵＳドルなど、受け入れられているおよび知られている通貨単位に基づくことが可能である。別の例として、ガイドラインは、最高ＱｏＯと、保証されたＱｏＯとの間における差に関して、いくらかのさらなる使用コストをＳＳＭが課金することができるというものであることが可能である。別の例として、ガイドラインは、混雑のケースにおいて、（最高ＱｏＯと、保証されたＱｏＯとの間における）差に関する価格設定が増大していると言える場合には、アクセスユーザに関して、合意された最高ＱｏＯが低く改訂可能であるというものであることが可能である。別の例として、ガイドラインは、保証されたＱｏＯあたりの価格設定が、特定のセグメントに関する需要に基づいて１つのスペクトルセグメントから別のスペクトルセグメントで変わることができるというものであることが可能である。これは、自然伝搬特性、またはセグメントに関連したＰＡＵとの共存複雑性に基づいて帯域を使用することの経済的な利益を反映することができる。これは、台頭する広範な無線柔軟性を伴うアクセスユーザに有利に働くことが可能である。別の例として、ガイドラインは、ＳＡＵおよびＧＡＵとスペクトルを共有するためのインセンティブをＳＳＭがＰＡＵに提供することができるというものであることが可能である。これは、ＳＡＵまたはＧＡＵから収集された収益の共有を提供することによって、反映可能である。別の例として、ガイドラインは、ＧＡＵが、自分が達成することができる最高ＱｏＯに基づいて共有スペクトルをオポチュニスティックに使用するための少額のコストを課金可能であるというものであることが可能である。これは、保証されたＱｏＯがゼロである可能性があるということを想定することができる。
【０１８３】
ＳＳＭは、アクセスユーザに割り振られた合意された保証されたＱｏＯおよび最高ＱｏＯが適合可能であることを確実にするために、測定を通じてアクセスユーザのパフォーマンスを規制することができる。たとえば、ＳＳＭは、パフォーマンスを規制するための対応式の方法を使用することができ、この方法においては、ＳＳＭは、ＱｏＯに関連した統計値を定期的にアクセスユーザから収集することができる。これらの統計値は、最大遅延または平均遅延、最大スループットまたは平均スループットなどを含むことができる。これらの統計値は、セルｅＮＢなどのデバイスどうしにわたって、または多くのデバイスにわたって選択的に監視されて平均化されることも可能である。特定のユーザがその最高ＱｏＯを超えていると言えること、または別のアクセスユーザがその保証されたＱｏＯを達成することができないことが検知可能である場合には、ＳＳＭは、このＱｏＯにおける増大をそのユーザに関するさらなる料金請求として考慮することができる。これを補うために、それは、その他のユーザたちを異なるスペクトルセグメントに移動することができ、それによって、彼らの要求されたＱｏＯが保持されることが可能になる。別の例として、ＳＳＭは、パフォーマンスを規制するための方法を使用することができ、この方法においては、ユーザは、（たとえば、ＳＳＭサービスを利用することができるシステムの証明の一部として確認可能である）制限を課しておくことが可能である。これは、システムが、合意されたＱｏＯを超えるのを防止することができる。そのような制限は、たとえば、デバイスの接続を受け入れることに対する制限、特定のデバイスへのアクセスを制限することまたは禁止することなどを使用して実行可能である。自分の課された制限を保持することができない場合があるシステムを検知するために、ランダムチェックが実行されることが可能であり、これらのシステムは、権威者に報告されることが可能であり、（発見された場合には）ＳＳＭへのアクセスを禁止可能である。
【０１８４】
高優先度アクセスユーザ検知のためのＳＳＡメカニズムが提供可能である。アクセスユーザは、スペクトルセグメントの使用に関して複数の異なる優先度レベルを有することができる。この優先度レベルは、スペクトルセグメントどうしにわたって異なることが可能である。たとえば、第１のスペクトルセグメントに関する１つの優先度、および第２のスペクトルセグメントに関する別の優先度が存在することが可能である。スペクトルセグメント内のポリシー／ルールに応じて、低優先度アクセスユーザは、高優先度アクセスユーザの到来に際して、何らかの是正アクションを実行するよう要求される可能性がある。アクセスユーザへの優先度のマッピングが提供可能である。アクセスユーザは、高優先度アクセスユーザが到来したと言えるということを決定することを可能にされることも可能であり、この決定に応じて是正アクションを取ることができる。
【０１８５】
アクセスユーザへの優先度のマッピングが提供可能である。たとえば、プライマリーアクセスユーザ（ＰＡＵ）が、スペクトルセグメント内で高い優先度を有することが可能であり、優先度において、セカンダリーアクセスユーザ（ＳＡＵ）によって、および一般許可アクセスユーザ（ＧＡＡＵ）によって追随可能である。ＳＡＵおよびＧＡＡＵに関して複数の優先度レベルが存在することが可能である。たとえば、ＳＡＵ１は、ＳＡＵ２およびＧＡＡＵ１が、ＧＡＡＵ２よりも高い優先度を有することが可能である高い優先度を有することが可能である。
【０１８６】
高優先度アクセスユーザの到来の検知が提供可能である。高優先度アクセスユーザの到来の決定は、高優先度アクセスユーザが到来したと言えるということを決定することに基づくことが可能である。アクセスユーザは、この決定を、感知によって、ＳＳＭを通じて提供される何らかの表示によって、感知およびＳＳＭ表示の何らかのハイブリッドな組合せによって、といった具合に行うことができる。ＳＳＭは、多くのタイプの高優先度アクセスユーザを取り扱う。本明細書において記載されているように、これらの高優先度アクセスユーザは、別々の是正アクションが実行されるよう要求することができる。たとえば、いくつかのＰＡＵは、低優先度アクセスユーザがスペクトルセグメントを明け渡すことを要求することができる。高優先度アクセスユーザどうしは、別々の無線アクセステクノロジーを使用している可能性がある。
【０１８７】
ＳＡＵおよびＧＡＡＵは、スペクトルセグメントにおけるアクティブなＰＡＵの到来に際して、是正アクションを実行することができる。同様に、ＧＡＡＵは、スペクトルセグメントにおけるＳＡＵの到来に際して、是正アクションを実行することができる。
【０１８８】
高優先度アクセスユーザ検知は、感知に基づくものであることが可能である。ＳＡＵおよびＧＡＡＵが高優先度アクセスユーザ検知に関して感知に依存することができるケースにおいては、ＲＡＴの多様性が、高優先度アクセスユーザ検知を複雑にする可能性がある。より性能の低いＳＡＵまたはＧＡＡＵは、高優先度アクセスユーザのＲＡＴをサポートすることができず、それを検知することができない場合がある。これは、たとえば、ＳＡＵまたはＧＡＡＵへのセグメント割り当てが、高優先度アクセスユーザによって使用されているテクノロジー上で感知を実行するためのＳＡＵおよびＧＡＡＵの能力を考慮に入れることができる先制アクションを通じて解決可能である。たとえば、ＷｉＦｉ信号の検知を実行することができないＳＡＵは、高優先度アクセスユーザがＷｉＦｉを使用することができるセグメントを割り当てられないことが可能である。
【０１８９】
複数のＲＡＴをサポートすることができる、ならびにこれらのＲＡＴに関する特徴検知および感知が可能と言えるＳＡＵおよびＧＡＡＵは、間違ったテクノロジー上で高優先度アクセスユーザを探すことに時間／パワーを浪費する可能性がある。ＳＡＵは、どんなタイプの高優先度アクセスユーザを検知すべきかがわからない場合がある。ＳＳＭは、感知可能である高優先度アクセスユーザのタイプに関してＳＡＵおよびＧＡＡＵにガイダンスを提供することができる。たとえば、ＳＡＵが、２つのカテゴリーＡセグメント（Ｓ１およびＳ２）を割り当てられることが可能である場合には、これらのセグメントは、アクティブなＰＡＵを有することが可能である。セグメントＳ１は、ＷｉＦｉ  ＰＡＵによって使用されることが可能であり、セグメントＳ２は、ＲＡＴを使用しているレーダシステムによって使用可能である。ＳＳＡシステムは、ＲＡＴ情報をＳＡＵに提供して、ＰＡＵ検知において支援を行うことができる。たとえば、それは、Ｓ１を使用しているＰＡＵのＳＳＩＤおよびビーコンピリオドを提供することができ、それは、セグメントＳ２において使用されているＲＡＴに関するオペレーティングパラメータを提供することができる。ＳＡＵは、この情報を使用して、自分のＰＡＵ感知をしかるべく調整することができる。
【０１９０】
高優先度アクセスユーザは、ビジー表示を送信することができる。ＳＡＵおよびＧＡＡＵは、どこでビジー表示を見つけ出すかを告げられることが可能である。ビジー表示は、ＳＡＵおよびＧＡＡＵによって見つけ出可能であるように送信可能である。この表示は、たとえば、スペクトルセグメントの一部にわたって周波数分割を使用して送信されることが可能であり、帯域にわたって時分割を使用して送信されることが可能であり、時分割および周波数分割の何らかの組合せを介して送信可能である、といった具合である。ＳＳＭは、どこでビジー表示が送信可能であるかをＳＡＵおよびＧＡＡＵに知らせることができる。この情報を受信すると、ＳＡＵおよびＧＡＡＵは、このビジー表示を搬送することができるＲＡＴ上でこのビジー表示を検知することを試みるために感知を実行することができる。
【０１９１】
高優先度アクセスユーザ検知は、感知以外に基づくものであることが可能である。ＳＡＵおよびＧＡＡＵが高優先度アクセスユーザ検知に関してＳＳＭに依存することができる場合には、ＳＳＭは、高優先度アクセスユーザの到来についてＳＡＵおよびＧＡＡＵに通知することを担当することができる。高優先度アクセスユーザどうしは異なる場合があるため、ＳＳＭは、スペクトルセグメント内の高優先度アクセスユーザのタイプに応じて異なる高優先度アクセスユーザ検知ルールを構成することができる。これらの検知ルールは、高優先度アクセスユーザおよびスペクトルセグメントに関連付けられているポリシーに基づくことが可能である。たとえば、１つのスペクトルセグメント内のＳＡＵは、高優先度アクセスユーザ到来がないかチェックするためにＳＳＭに定期的に再コンタクトするよう要求可能である（たとえば、Ｋ秒）。第２のスペクトルセグメント内のＳＡＵは、高優先度アクセスユーザ到来のケースにおいてＳＳＭによって連絡可能であるように、自分の連絡先情報（たとえば、ＩＰアドレス）を提供するよう、および更新するよう要求可能である。
【０１９２】
ハイブリッドベースの検知が提供可能である。アクセスユーザは、何らかの是正アクションを取ることができるかどうかを決定するために、感知と、ＳＳＭからの表示との両方に依存することができる。複数のハイブリッドベースの検知シナリオがあり得ると言える。たとえば、アクセスユーザは、高優先度アクセスユーザを感知することが可能であり、ＳＳＭからの表示を受信することが可能である。アクセスユーザは、スペクトルセグメント内で機能していると言える高優先度アクセスユーザに関連付けられているポリシー／ルールによって定義可能である是正アクションを取ることができる。
【０１９３】
別の例として、アクセスユーザは、高優先度アクセスユーザを感知しないことが可能であり、ＳＳＭからの表示を受信しないことが可能である。アクセスユーザは、スペクトル上で引き続き機能する一方で、高優先度アクセスユーザを探して感知を続けることができ、ＳＳＭからの表示を探して監視することができる。
【０１９４】
別の例として、アクセスユーザは、高優先度アクセスユーザを感知することが可能であるが、ＳＳＭからの表示を受信しないことが可能である。アクセスユーザは、スペクトルセグメント内で機能していると言える感知された高優先度アクセスユーザに関連付けられているポリシー／ルールに引き続き適合することができる。複数の可能なアクションがアクセスユーザによって取られることが可能であり、それらのアクションは、オペレーションを通常どおり続けることを選択すること、どのように進めるべきかを決定するためにＳＳＭにクエリーを行うこと、スペクトルセグメントにおける自分のオペレーションを変更すること、（たとえば、さらなる感知を可能にする）時間のピリオドにわたってオペレーションを一時停止することなどを含むことができる。
【０１９５】
別の例として、アクセスユーザは、高優先度アクセスユーザを感知しないことが可能であるが、ＳＳＭからの表示を受信することが可能である。アクセスユーザは、スペクトルセグメント内で機能していると言える高優先度アクセスユーザに関連付けられているポリシー／ルールに引き続き適合することができる。複数の可能なアクションがアクセスユーザによって取られることが可能であり、それらのアクションは、オペレーションを通常どおり続けることを選択すること、どのように進めるべきかを決定するためにＳＳＭにクエリーを行うこと、スペクトルセグメントにおける自分のオペレーションを変更すること、（たとえば、さらなる感知を可能にする）時間のピリオドにわたってオペレーションを一時停止することなどを含むことができる。
【０１９６】
是正アクションが提供可能である。アクセスユーザは、スペクトルセグメント上に高優先度アクセスユーザが存在していると言えるということを決定したと言える場合には、スペクトルセグメント内の高優先度アクセスユーザに関連付けられているポリシー／ルールによって定義可能である是正アクションを取ることができる。
【０１９７】
是正アクションは、スペクトルセグメントを明け渡すことを低優先度アクセスユーザに行わせることを含むことができる。本明細書において記載されているものなど、さまざまなタイプの明け渡しが使用可能である。たとえば、高優先度アクセスユーザは、緊急の明け渡しを要求することができる。このケースにおいては、ＳＳＭは、明け渡されるセグメント上でＳＡＵおよびＧＡＡＵを再分配することを要求することができる。アクセスユーザは、高優先度アクセスユーザを検知した場合には、ＳＳＭに通知することができ、それによってＳＳＭは、本明細書において記載されているような再分配を実行することができる。緊急の明け渡しを要求しない場合がある高優先度アクセスユーザが存在する場合がある。
【０１９８】
是正アクションは、高優先度アクセスユーザを保護することができるいくつかの共存ルールにアクセスユーザが適合するならば、それがスペクトルセグメント内に残ることを可能にすることができる。そのようなケースにおいては、セカンダリーアクセスユーザ（ＳＡＵ）または一般許可アクセスユーザ（ＧＡＡＵ）は、共存を可能にするために自分たちのオペレーティングパラメータを、またはＲＡＴタイプさえ、変更することができる。たとえば、アクセスユーザおよび高優先度アクセスユーザが両方ともＣＳＭＡベースであると言える場合には、ポリシー／ルールは、低優先度アクセスユーザが自分のバックオフタイマーおよびフレーム間の感知時間をスケールアップすることを要求することができる。これは、高優先度アクセスユーザがスペクトルセグメントにアクセスするのを支援することができる。別の例として、ポリシー／ルールは、低優先度アクセスユーザが自分の送信パワーを増大することを要求することができ、これは、高優先度アクセスユーザが、低優先度アクセスユーザを、干渉除去技術を使用して除去可能である強力な干渉物として取り扱うことを可能にすることができる。別の例として、ＳＳＭは、時間および周波数に関する制限を提供することができ、それらの制限に基づいて、低優先度アクセスユーザは、機能することを許可可能である。低優先度アクセスユーザは、高優先度アクセスユーザとの干渉を回避するために、いつ送信すべきかを告げられることが可能である。
【０１９９】
複数の高優先度アクセスユーザが検知されていると言える場合には、アクセスユーザは、検知されたアクセスユーザたちに関するポリシー／ルールを評価することができ、高優先度アクセスユーザを満足させることができる是正アクションを決定することができる。実行複雑性をやわらげるために、アクセスユーザは、スペクトルセグメント内で複数の高優先度アクセスユーザが検知されていると言える場合には、スペクトルセグメントを明け渡すことを決定することができる。
【０２００】
ＳＳＭシステム間の通信のためのＳＳＡメカニズムが提供可能である。デバイスまたはネットワークは、２人の異なるＳＳＭによってサービス提供可能であるエリア内で展開される場合があり、またはその他のＳＳＭによって管理されているネットワークにデバイスが干渉する可能性があるエリア内で展開される場合がある。そのようなシナリオは、たとえば、多くの国々の国境に近いエリアのケースにおいて、国が、自分自身の国におけるスペクトルを、自分自身のＳＳＭを用いて独立して管理しようと（自分の規制機関、またはサードパーティースペクトル管理エンティティーのいずれかを通じて）決定したと言える場合に、生じる可能性がある。問題が生じることを防止するために、ＳＳＭは、近隣のＳＳＭと定期的に情報を交換することができる。たとえば、ＳＳＭどうしは、別々のＳＳＭによって管理されているアクセスユーザどうし（たとえば、ネットワークどうし）が、付近におけるアクセスユーザの存在にもかかわらずに、自分たちの保証されたＱｏＯまたは最高ＱｏＯを保持することができることを確実にするために、通信することができる。別の例として、ＳＳＭどうしは、特定のＳＳＭによって保護されていると言えるプライマリーアクセスユーザが、近隣のＳＳＭの制御のもとで機能していると言えるアクセスユーザによって干渉されることが不可能であることを確実にするために、通信することができる。
【０２０１】
ＳＳＭは、プロビジョン可能である場合には、自分の近隣のＳＳＭに気づくことが可能であり、そのＳＳＭと通信するための情報を用いて事前構成可能である。これは、メッセージが近隣のＳＳＭに送信可能であるＩＰアドレスまたはネットワークアドレス、それがその他のＳＳＭからのメッセージをリッスンすることができるネットワークポート、その他のＳＳＭからのメッセージをデコードすることができる方法（別々の近隣ＳＳＭは、別々の方法でメッセージをデコードすることができる）、それが近隣のＳＳＭとメッセージを交換することができる頻度（どれぐらい頻繁にか）、および非同期式のメッセージの送信が可能と言えるかどうか、ＳＳＭによって管理されている地理的エリアなどを含むことができる。
【０２０２】
近隣のＳＳＭとの通信リンクが確立されている場合には、ＳＳＭは、スペクトルアクセス制限の形態のメッセージを交換することができる。そのようなスペクトルアクセス制限は、第１のＳＳＭによってサービス提供されている高優先度アクセスユーザ（ＰＡＵなど）を、第２のＳＳＭの制御のもとで機能することができるネットワークまたはデバイスから保護する役割を果たすことができる。これは、量の時間にわたって地理的ロケーションにおいてアクセスされることが不可能である帯域または帯域のセット、帯域または帯域のセットに課される最大送信パワー制限、特定の量の時間にわたる帯域または帯域のセットに関する帯域外制限における変更などの形態であることが可能である。次いで、ＰＡＵがもはやチャネルを要求していないと言える場合には、制限が除去可能である。この制限除去は、近隣のＳＳＭに送信されることも可能である。
【０２０３】
ＳＡＵたちが国境エリアにおいて自分たちのＱｏＳを達成することを支援するために、ＳＳＭは、その制御のもとでＳＡＵたちによってもたらされる可能性がある（近隣のＳＳＭのＱｏＯを危うくする可能性がある）干渉の潜在的なエリアを決定することができる。この情報は、近隣のＳＳＭによってスペクトルアクセス表示の形態で交換可能である。スペクトルアクセス表示は、周波数帯域またはチャネル、影響される地理的エリア、近隣のＳＳＭによって管理されている地理的エリアにもたらされる可能性がある干渉の予測される量などを含むことができる。スペクトルアクセス表示とともに交換される情報に基づいて、ＳＳＭは、コンフリクトが生じる可能性があるかどうかを決定することができる。近隣のＳＳＭによる干渉またはスペクトル使用が、そのＳＡＵたちに約束されているよりも低くなる可能性があるＱｏＯをもたらす結果となる可能性があるということが決定されていると言える場合には、コンフリクトが生じる可能性がある。
【０２０４】
コンフリクトは、複数の方法で解決可能である。たとえば、ＳＳＭのうちのいずれかが、利用可能なその他のチャネルを有している場合には、ＳＡＵユーザたちは、その他のチャネルへ移動可能である。いずれのチャネルも利用不可能と言える場合には、ＳＳＭは、エリア内のスペクトルに関する購入価格または販売価格を交渉することができる。この購入価格または販売価格は、コンフリクトによって影響されるＳＡＵに関してＳＳＭが課金できることが可能である増大されたコスト＄／ＢＷから導出可能である。たとえば、第１のＳＳＭが、国境エリアの使用を保持することによってｘをより多くすることができることが可能であり、第２のＳＳＭが、国境エリアの使用を保持することによってｙをより多くすることができることが可能である（ただし、ｘ＞ｙである）場合には、第１のＳＳＭは、国境エリアにおけるスペクトルの使用を保持するための額を第２のＳＳＭに支払うことができ、その一方で、第２のＳＳＭは、自分のＳＡＵたちに、彼らのＱｏＯを低減することを強制することができる（影響されるＳＡＵによってもたらされる収益における減少を相殺するために、第２のＳＳＭからの支払いが使用可能である）。国どうしは、チャネルの単純な再割り当てによって解決されることが不可能であるコンフリクトは、２人のＳＳＭの間において等しく帯域幅を分割することによって解決可能であるという合意またはポリシーを有することができる。次いで、潜在的なコンフリクトが解決されることが可能になるまで（たとえば、異なる周波数レンジにおいて代替セグメントまたはチャネルが利用可能になることができるまで）、別々のＳＳＭからのＳＡＵたちに共有ポリシーが強制可能である。
【０２０５】
２人のＳＡＵが、スペクトルセグメントを共有することができる。ネットワーク（たとえば、オペレータＡおよびオペレータＢ）は、共有スペクトルを使用することができるスモールセルネットワークであることが可能であり、ＳＳＭは、特定のＱｏＯを提供できることが可能である。共有スペクトルへの割り当ては、３層レベル（プライマリー、セカンダリー、および一般許可アクセス）に基づいて規制可能である。
【０２０６】
たとえば、オペレータＡは、ローカルエリアに関する需要における急増を目にする可能性があり、またはマクロセルとともに実現されることが不可能である高いデータレートを伴ってＢＷ需要を受信した可能性がある。オペレータＡは、エリアに関して量の合計共有スペクトルを求めて共有スペクトルマネージャー（ＳＳＭ）に対して要求／入札を行うことができる。このスペクトルは、スモールセルのセットによって使用可能である。受け入れ可能なスペクトルレンジという点でのネットワーク能力が提供可能である。ＳＳＭは、スペクトルが利用可能である可能性があるということを報告することができ、そのエリアに関して所与のコスト（＄／ＢＷ）と引き換えにオペレータＡにスペクトルセグメントを割り当てること／予約することが可能である。スペクトルは現在使用されていないと言えるため、コストは、最小であることが可能である。オペレータＡは、そのコストに合意することができる。オペレータＡは、そのスペクトルセグメントを使用し始めることができ、トラフィックの一部は、マクロセルからスモールセルへオフロード可能である。高データレート／品質サービスが提供可能である。しばらく後で、オペレータＢが、オペレータＡが既に機能していると言える同じロケーションで量の共有スペクトルを求めて要求を行う場合もある。ＳＳＭは、その要求を評価することができ、残りの使用されていない共有スペクトルは、オペレータＢによって要求されている帯域幅を満たすには不十分であると言えるということを決定することができる。ＳＳＭは、コストが増大したと言えるということ（＄＄／ＢＷ）を両方のネットワークに知らせることができ、そのコスト（＄＄／ＢＷ）で需要を要求することができる。
【０２０７】
改訂されたコストに起因して、両方のネットワークは、需要を低減することができる。ＳＳＭは、要求されている需要をその他の関係者に知らせないことが可能であり、それは、匿名入札に起因していると言える。両方のネットワークが自分たちの需要を低減することができない場合には、複数のアクションが起こることが可能である。たとえば、データベースは、コストを＄＄＄／ＢＷに増大することができ、その増大をネットワークに知らせることができ、それは、要求される需要を低減することをネットワークに強いることができる。別の例として、ネットワークは、割り当てられたスペクトルが等しく＄＄／ＢＷで共有可能であるようなポリシーを強制することができる。別の例として、スペクトルは、オペレータＡが、同じ量を要求することができる一方で、オペレータＢが、改訂された価格に起因して需要を低減することができるように、分割可能である。別の例として、スペクトルは、同じスペクトルリソースを求めて入札することができる、３人のオペレータなど、複数のオペレータ、の間において分割可能である。
【０２０８】
同じスペクトルが両方のネットワークによって共有可能であるが、ＳＳＭは、そのスペクトルが比率のもとで共有されることを要求することができる。ＳＳＭは、使用されているテクノロジーに基づいてＢＷが共有されるためのポリシーを強制することができる。いくつかの比率シナリオがあり得ると言える。たとえば、ＷｉＦｉ、ＬＴＥが５０％で共有されることが可能であり、ＬＴＥとＬＴＥが５０％で共有されることが可能であり、ワイヤレステクノロジーが７０／３０％で共有されることが可能であり得る、といった具合である。ＳＳＡシステムは、ポリシーと、スペクトルがどのように分割可能であるかとを取り扱うことができる。ＳＳＡシステムは、２つのシステムをコンタクトさせて、２つのシステムを通信させることができる。
【０２０９】
両方のシステムは、低減されたＢＷを使用することができ、ＱｏＯを確実にすることができる内部アドミッション制御しきい値を設定すること（低く改訂すること）が可能である。トラフィックにおける急増が低減されることが可能であり、オペレータＡは、トラフィックを元のマクロへ移動することを決定することができる。それは、これをＳＳＭに知らせることができる。ＳＳＭは、コスト＄／ＢＷと、共有ポリシーがもはや有効ではないと言えるということとをオペレータＢに知らせることができる。オペレータＢは、要求されるＢＷを最小のコスト（＄／ＢＷ）で元の需要まで増大することができる。
【０２１０】
ＧＡＵＵオペレーションが提供可能である。ＰＡＵ再来が提供される場合がある。たとえば、ＰＡＵが現れた場合には、ＳＡＵたちが別のスペクトルセグメントへ移動可能であるかどうかを決定するためにチェックが実行可能である。ＱｏＯを保持することができる別のスペクトルセグメントが利用不可能であると言える場合には、スペクトルの編成が実行されて、カテゴリーＣスペクトルから取り去って、カテゴリーＢスペクトルへ変換することが可能である。依然としてスペクトルの不足があると言える場合には、占有可能スペクトルの量を減少し始めるためにコスト＄／ＢＷが増大されることが可能であり、ＰＡＵに悩むＳＡＵは、この作成されたスペクトルへ移動可能である。ＧＡＡＵユーザによる特定のカテゴリーＡおよびカテゴリーＢスペクトルへのアクセスが一時的に無効にされて、ＳＡＵのＱｏＳを満たすことをこれらのセグメント上でさらに容易にすることが可能である。依然として不足があると言える場合には、ＳＡＵが別のカテゴリーＡまたはＢスペクトルへ移動されることが可能であり、いくつかの共有ポリシーが課可能である。ＰＡＵは、ＬＳＡのために使用されるスペクトルのケースにおいてなど、予想外にスペクトルを使用することができるケースにおいては、ＳＳＭに対価を支払うこともできる。チャネルをそのように予想外に取り戻すことは、チャネルを共有するためのいくつかのポリシーをＳＳＭが使用しなければならないという結果をもたらす場合があり、ＰＡＵによって支払われた対価は、コストにおける低減を相殺するために使用可能である。
【０２１１】
上では特徴および要素が特定の組合せで記載されているが、それぞれの特徴または要素は、単独で、またはその他の特徴および要素との任意の組合せで使用可能であるということを当技術分野における標準的な技術者なら理解するであろう。加えて、本明細書において記載されている方法は、コンピュータまたはプロセッサによって実行するためにコンピュータ可読メディア内に組み込まれているコンピュータプログラム、ソフトウェア、またはファームウェアで実行可能である。コンピュータ可読メディアの例は、（有線接続またはワイヤレス接続を介して送信される）電子信号、およびコンピュータ可読ストレージメディアを含む。コンピュータ可読ストレージメディアの例は、読み取り専用メモリ（ＲＯＭ）、ランダムアクセスメモリ（ＲＡＭ）、レジスタ、キャッシュメモリ、半導体メモリデバイス、内蔵ハードディスクおよび取り外し可能ディスクなどの磁気メディア、光磁気メディア、ならびに、ＣＤ−ＲＯＭディスクおよびデジタル多用途ディスク（ＤＶＤ）などの光メディアを含むが、それらには限定されない。ＷＴＲＵ、ＵＥ、端末、基地局、ＲＮＣ、または任意のホストコンピュータにおいて使用するための無線周波数トランシーバを実行するために、ソフトウェアと関連付けられているプロセッサが使用可能である。
【図１Ａ】
2015534372.tif 000003
【図１Ｂ】
2015534372.tif 000004
【図１Ｃ】
2015534372.tif 000005
【図１Ｄ】
2015534372.tif 000006
【図１Ｅ】
2015534372.tif 000007
【図２】
2015534372.tif 000008
【図３】
2015534372.tif 000009
【図４】
2015534372.tif 000010
【図５】
2015534372.tif 000011
【図６】
2015534372.tif 000012
【図７】
2015534372.tif 000013
【手続補正書】
【提出日】平成27年5月19日(2015.5.19)
【手続補正１】
【補正対象書類名】特許請求の範囲
【補正対象項目名】全文
【補正方法】変更
【補正の内容】
【特許請求の範囲】
【請求項１】
アクセスユーザのためのアクセス品質（ＱｏＡ）を提供する共有スペクトルの層におけるスペクトルに対する要求を送り、
前記ＱｏＡに適合することが可能であり、および前記アクセスユーザによる使用のために割り当てられることが可能である前記共有スペクトルにおける利用可能なスペクトルのリストを受信し、
利用可能なスペクトルの前記リストから前記スペクトルを決定し、
前記スペクトルが前記アクセスユーザによる使用のために割り当てられることを要求するスペクトル使用メッセージを送る
ように構成されていたプロセッサ
を備えたことを特徴とする装置。
【請求項２】
前記ＱｏＡは、エリア、時間、時間のパーセンテージ、またはスクランブリングコードに対する前記アクセスユーザによる前記スペクトルの排他的な使用に関連付けられることを特徴とする請求項１に記載の装置。
【請求項３】
前記ＱｏＡは、前記アクセスユーザに対して受け入れ可能なレベルを下回っている前記スペクトルのノイズレベルに関連付けられることを特徴とする請求項１に記載の装置。
【請求項４】
前記層は、第１の層であり、および利用可能なスペクトルの前記リストは、前記第１の層とは異なる第２の層にあることを特徴とする請求項１に記載の装置。
【請求項５】
前記スペクトルに対する前記要求は、前記スペクトルが存在すべき周波数帯域を含むことを特徴とする請求項１に記載の装置。
【請求項６】
前記プロセッサは、利用可能なスペクトルの前記リストが、要求された前記スペクトルよりも大きいということを決定するようにさらに構成されることを特徴とする請求項５に記載の装置。
【請求項７】
前記プロセッサは、前記スペクトルが割り当てられたということを示す割り当てメッセージを受信するようにさらに構成されることを特徴とする請求項６に記載の装置。
【請求項８】
前記プロセッサは、前記スペクトルがもはや前記ＱｏＡに適合することができない場合に使用されることになる代替スペクトルを利用可能なスペクトルの前記リストから決定するようにさらに構成されることを特徴とする請求項６に記載の装置。
【請求項９】
前記プロセッサは、前記スペクトルがもはや前記ＱｏＡに適合することができない場合に、前記アクセスユーザによる可能性のある使用のために前記代替スペクトルがフラグ設定されることを要求するスペクトル予約メッセージを送るようにさらに構成されることを特徴とする請求項８に記載の装置。
【請求項１０】
前記スペクトル使用メッセージは、第１のスペクトル使用メッセージであり、および前記プロセッサは、
前記スペクトルがもはや前記ＱｏＡに適合することができないということを決定し、
前記代替スペクトルが前記アクセスユーザによる使用のために割り当てられることを要求する第２のスペクトル使用メッセージを送るようにさらに構成されることを特徴とする請求項８に記載の装置。
【請求項１１】
共有スペクトルの層、およびアクセスユーザのためのアクセス品質（ＱｏＡ）を含むスペクトル要求メッセージを受信し、
前記アクセスユーザに対する前記ＱｏＡに適合することが可能であり、および前記アクセスユーザに割り当てられることが可能である前記共有スペクトルの前記層において利用可能なスペクトルを決定し、
前記利用可能なスペクトルから前記アクセスユーザによる使用のためにスペクトルを割り当てる
ように構成されたプロセッサ
を備えたことを特徴とする装置。
【請求項１２】
前記ＱｏＡは、エリア、時間、時間のパーセンテージ、またはスクランブリングコードに対する前記アクセスユーザによる前記スペクトルの排他的な使用に関連付けられることを特徴とする請求項１１に記載の装置。
【請求項１３】
前記ＱｏＡは、前記アクセスユーザに対して受け入れ可能なレベルを下回っている前記スペクトルのノイズレベルに関連付けられることを特徴とする請求項１１に記載の装置。
【請求項１４】
前記プロセッサは、前記利用可能なスペクトルのリストを前記アクセスユーザに送るようにさらに構成されることを特徴とする請求項１１に記載の装置。
【請求項１５】
前記スペクトルが前記アクセスユーザによる使用のために前記利用可能なスペクトルから割り当てられることを要求するスペクトル使用メッセージを受信することをさらに含むことを特徴とする請求項１４に記載の装置。
【請求項１６】
前記スペクトル要求メッセージは、前記スペクトルが存在すべき周波数帯域をさらに含むことを特徴とする請求項１５に記載の装置。
【請求項１７】
前記プロセッサは、前記利用可能なスペクトルが前記周波数帯域内にあるということを決定するようにさらに構成されることを特徴とする請求項１６に記載の装置。
【請求項１８】
前記プロセッサは、前記アクセスユーザによる可能性のある使用のために前記利用可能なスペクトルからの代替スペクトルがフラグ設定されることを要求するスペクトル予約メッセージを受信するようにさらに構成されることを特徴とする請求項１１に記載の装置。
【請求項１９】
前記プロセッサは、前記スペクトルがもはや前記ＱｏＡに適合することができない場合に前記アクセスユーザによる使用のために前記代替スペクトルを割り当てるようにさらに構成されることを特徴とする請求項１８に記載の装置。
【請求項２０】
アクセス品質（ＱｏＡ）がスペクトルセグメントに対して劣化したということを示すアクセス品質（ＱｏＡ）イベントメッセージをアクセスユーザから受信し、
前記スペクトルセグメントを共有スペクトルの層における置換スペクトルセグメントと置換するための再割り当て要求を受信し、
前記ＱｏＡに適合することが可能であり、および前記アクセスユーザに割り当てられることが可能である前記共有スペクトルの前記層における利用可能なスペクトルを決定し、
前記利用可能なスペクトルからの前記置換スペクトルセグメントを前記アクセスユーザに割り振る
ように構成されたプロセッサ
を備えたことを特徴とする装置。
【請求項２１】
前記プロセッサは、前記アクセスユーザによる使用のためにもはや割り当てられないように、前記スペクトルセグメントを解放するようにさらに構成されることを特徴とする請求項２０に記載の装置。
【請求項２２】
前記プロセッサは、利用可能なスペクトルのリストを前記アクセスユーザに送るようにさらに構成されることを特徴とする請求項２０に記載の装置。
【請求項２３】
前記再割り当て要求は、前記スペクトルが存在すべき周波数帯域をさらに含むことを特徴とする請求項２０に記載の装置。
【請求項２４】
前記プロセッサは、前記利用可能なスペクトルが前記周波数帯域内にあるということを決定するようにさらに構成されることを特徴とする請求項２３に記載の装置。
【請求項２５】
スペクトルセグメントがもはやアクセス品質（ＱｏＡ）に適合することができないということを決定し、
前記ＱｏＡが前記スペクトルセグメントに対して劣化したということを示すＱｏＡイベントメッセージを共有スペクトルマネージャー（ＳＳＭ）に送り、
前記スペクトルセグメントを共有スペクトルの層における置換スペクトルセグメントと置換するための再割り当て要求を送る
ように構成されたプロセッサ
を備えたことを特徴とする装置。
【請求項２６】
前記プロセッサは、前記ＱｏＡに適合可能な前記共有スペクトルの前記層における利用可能なスペクトルのリストを受信するように構成されることを特徴とする請求項２５に記載の装置。
【請求項２７】
前記プロセッサは、利用可能なスペクトルの前記リストから前記置換スペクトルセグメントを決定するようにさらに構成されることを特徴とする請求項２６に記載の装置。
【請求項２８】
前記プロセッサは、利用可能なスペクトルの前記リストからの前記置換スペクトルセグメントを割り当てるスペクトル割り振りを受信するようにさらに構成されることを特徴とする請求項２７に記載の装置。
【請求項２９】
前記プロセッサは、前記スペクトルが割り当てられたということを示す割り当てメッセージを前記ＳＳＭから受信するようにさらに構成されることを特徴とする請求項２８に記載の装置。
【請求項３０】
前記プロセッサは、置換スペクトルセグメントがもはや前記ＱｏＡに適合することができない場合に使用されることになる利用可能なスペクトルの前記リストからの代替スペクトルセグメントを決定するようにさらに構成されることを特徴とする請求項２８に記載の装置。
【国際調査報告】
2015534372.tif 000014
2015534372.tif 000015
2015534372.tif 000016
2015534372.tif 000017
2015534372.tif 000018